(57)【要約】  ポートインデクスをシグナリングするための装置及び方法が開示される。一実施形態において、ネットワークノードでの方法は、ランクネストされた方法及びランクネストされていない方法の内の１つでの少なくとも１つのポート表示を生成することと、ランクネストされた方法及びランクネストされていない方法の内の１つでの少なくとも１つのポート表示をシグナリングすることと、を含む。別の実施形態において、無線デバイス（ＷＤ）での方法は、ネットワークノードから、ランクネストされた方法及びランクネストされていない方法の内の１つでの少なくとも１つのポート表示を受信することと、少なくとも１つのポート表示に基づいてチャネル状態情報（ＣＳＩ）フィードバックを生成することと、を含む。
2021502741.tif 000002
【特許請求の範囲】
【請求項１】
無線デバイス（ＷＤ）（２２）と通信する様に構成されたネットワークノード（１６）であって、
ランクネストされた方法及びランクネストされていない方法の内の１つでの少なくとも１つのポート表示を生成する様に構成された処理回路（６２）と、
前記ランクネストされた方法及び前記ランクネストされていない方法の内の１つでの前記少なくとも１つのポート表示をシグナリングする様に構成された無線インタフェース（５８）と、
を備えるネットワークノード。
【請求項２】
請求項１に記載のネットワークノード（１６）であって、
前記少なくとも１つのポート表示は、少なくとも１つのポートインデクス表示を含む、ネットワークノード。
【請求項３】
請求項１又は２に記載のネットワークノード（１６）であって、
前記無線インタフェース（５８）は、チャネル状態情報（ＣＳＩ）レポート設定構成において前記少なくとも１つのポート表示をシグナリングする様にさらに構成されることによって、前記少なくとも１つのポート表示をシグナリングする様に構成される、ネットワークノード。
【請求項４】
請求項１から３のいずれか１項に記載のネットワークノード（１６）であって、
前記少なくとも１つのポート表示は、少なくとも１つのチャネル状態情報参照信号（ＣＳＩ−ＲＳ）リソース内のどのポートを、非プリコーダ行列インジケータ（非ＰＭＩ）ＣＳＩフィードバックのランク仮定のためのチャネル品質を測定するために使用するかを示し、前記非ＰＭＩ  ＣＳＩフィードバックは、プリコーダ行列インジケータの無いＣＳＩフィードバックである、ネットワークノード。
【請求項５】
請求項１から４のいずれか１項に記載のネットワークノード（１６）であって、
前記ランクネストされた方法において、前記少なくとも１つのポート表示は、ポートインデクスのリストを含み、前記リストの最初のポートインデクスは、ランク１のチャネル状態情報（ＣＳＩ）測定のためのポートを示し、前記リストの最初の２つのポートインデクスは、ランク２のＣＳＩ測定のためのポートを示し、前記リストの１つ以上の最初のｋ（ｋ＝１，２，・・・，８）個のポートインデクスは、ランクｋのＣＳＩ測定のための１つ以上のポートを示す、ネットワークノード。
【請求項６】
請求項１から５のいずれか１項に記載のネットワークノード（１６）であって、
前記ランクネストされていない方法において、前記少なくとも１つのポート表示は、それぞれが関連するランクのための複数のポート表示を含む、ネットワークノード。
【請求項７】
請求項６に記載のネットワークノード（１６）であって、
ランクｋ（ｋ＝１，２，・・・，８）の前記少なくとも１つのポート表示は、ランクｋのＣＳＩ測定のためのｋ個のポートインデクスを含む、ネットワークノード。
【請求項８】
請求項１から７のいずれか１項に記載のネットワークノード（１６）であって、
前記少なくとも１つのポート表示は、前記無線デバイスにシグナリングされる、ネットワークノード。
【請求項９】
請求項１から８のいずれか１項に記載のネットワークノード（１６）であって、
前記少なくとも１つのポート表示は、少なくとも１つのポートインデクス表示を含み、前記少なくとも１つのポートインデクス表示は、少なくとも１つのチャネル状態情報参照信号（ＣＳＩ−ＲＳ）リソース内のポートインデクスを示す、ネットワークノード。
【請求項１０】
請求項１から９のいずれか１項に記載のネットワークノード（１６）であって、
前記無線インタフェース（５８）は、前記無線デバイスから、非プリコーダ行列インジケータ（非ＰＭＩ）チャネル状態情報（ＣＳＩ）フィードバックを受信する様に構成され、前記非ＰＭＩ  ＣＳＩフィードバックは、ランクインジケータ（ＲＩ）と、少なくとも１つのチャネル品質インジケータ（ＣＱＩ）と、を含む、ネットワークノード。
【請求項１１】
ネットワークノード（１６）での方法であって、
ランクネストされた方法及びランクネストされていない方法の内の１つでの少なくとも１つのポート表示を生成する（Ｓ１３４）ことと、
前記ランクネストされた方法及び前記ランクネストされていない方法の内の１つでの前記少なくとも１つのポート表示をシグナリングする（Ｓ１３６）ことと、
を含む方法。
【請求項１２】
請求項１１に記載の方法であって、
前記少なくとも１つのポート表示は、少なくとも１つのポートインデクス表示を含む、方法。
【請求項１３】
請求項１１又は１２に記載の方法であって、
前記少なくとも１つのポート表示をシグナリングすることは、チャネル状態情報（ＣＳＩ）レポート設定構成において前記少なくとも１つのポート表示をシグナリングすることをさらに含む、方法。
【請求項１４】
請求項１１から１３のいずれか１項に記載の方法であって、
前記少なくとも１つのポート表示は、少なくとも１つのチャネル状態情報参照信号（ＣＳＩ−ＲＳ）リソース内のどのポートを、非プリコーダ行列インジケータ（非ＰＭＩ）ＣＳＩフィードバックのランク仮定のためのチャネル品質を測定するために使用するかを示し、前記非ＰＭＩ  ＣＳＩフィードバックは、プリコーダ行列インジケータの無いＣＳＩフィードバックである、方法。
【請求項１５】
請求項１１から１４のいずれか１項に記載の方法であって、
前記ランクネストされた方法において、前記少なくとも１つのポート表示は、ポートインデクスのリストを含み、前記リストの最初のポートインデクスは、ランク１のチャネル状態情報（ＣＳＩ）測定のためのポートを示し、前記リストの最初の２つのポートインデクスは、ランク２のＣＳＩ測定のためのポートを示し、前記リストの１つ以上の最初のｋ（ｋ＝１，２，・・・，８）個のポートインデクスは、ランクｋのＣＳＩ測定のための１つ以上のポートを示す、方法。
【請求項１６】
請求項１１から１５のいずれか１項に記載の方法であって、
前記ランクネストされていない方法において、前記少なくとも１つのポート表示は、それぞれが関連するランクのための複数のポート表示を含む、方法。
【請求項１７】
請求項１６に記載の方法であって、
ランクｋ（ｋ＝１，２，・・・，８）の前記少なくとも１つのポート表示は、ランクｋのＣＳＩ測定のためのｋ個のポートインデクスを含む、方法。
【請求項１８】
請求項１１から１７のいずれか１項に記載の方法であって、
前記少なくとも１つのポート表示をシグナリングすることは、無線デバイスに前記少なくとも１つのポート表示をシグナリングすることをさらに含む、方法。
【請求項１９】
請求項１１から１８のいずれか１項に記載の方法であって、
前記少なくとも１つのポート表示は、少なくとも１つのポートインデクス表示を含み、前記少なくとも１つのポートインデクス表示は、少なくとも１つのチャネル状態情報参照信号（ＣＳＩ−ＲＳ）リソース内のポートインデクスを示す、方法。
【請求項２０】
請求項１１から１９のいずれか１項に記載の方法であって、
無線デバイスから、非プリコーダ行列インジケータ（非ＰＭＩ）チャネル状態情報（ＣＳＩ）フィードバックを受信することをさらに含み、前記非ＰＭＩ  ＣＳＩフィードバックは、ランクインジケータ（ＲＩ）と、少なくとも１つのチャネル品質インジケータ（ＣＱＩ）と、を含む、方法。
【請求項２１】
ネットワークノード（１６）と通信する様に構成された無線デバイス（ＷＤ）（２２）であって、
前記ネットワークノード（１６）から、ランクネストされた方法及びランクネストされていない方法の内の１つでの少なくとも１つのポート表示を受信する様に構成された無線インタフェース（７２）と、
前記少なくとも１つのポート表示に基づいてチャネル状態情報（ＣＳＩ）フィードバックを生成する様に構成された処理回路（７４）と、
を備えるＷＤ。
【請求項２２】
請求項２１に記載のＷＤ（２２）であって、
前記少なくとも１つのポート表示は、少なくとも１つのポートインデクス表示を含む、ＷＤ。
【請求項２３】
請求項２１又は２２に記載のＷＤ（２２）であって、
前記少なくとも１つのポート表示は、チャネル状態情報（ＣＳＩ）レポート設定構成に含まれる、ＷＤ。
【請求項２４】
請求項２１から２３のいずれか１項に記載のＷＤ（２２）であって、
前記少なくとも１つのポート表示は、少なくとも１つのチャネル状態情報参照信号（ＣＳＩ−ＲＳ）リソース内のどのポートを、非プリコーダ行列インジケータ（非ＰＭＩ）ＣＳＩフィードバックのランク仮定のためのチャネル品質を測定するために使用するかを示し、前記非ＰＭＩ  ＣＳＩフィードバックは、プリコーダ行列インジケータの無いＣＳＩフィードバックである、ＷＤ。
【請求項２５】
請求項２１から２４のいずれか１項に記載のＷＤ（２２）であって、
前記ランクネストされた方法において、前記受信する少なくとも１つのポート表示は、ポートインデクスのリストを含み、前記リストの最初のポートインデクスは、ランク１のチャネル状態情報（ＣＳＩ）測定のためのポートを示し、前記リストの最初の２つのポートインデクスは、ランク２のＣＳＩ測定のためのポートを示し、前記リストの１つ以上の最初のｋ（ｋ＝１，２，・・・，８）個のポートインデクスは、ランクｋのＣＳＩ測定のための１つ以上のポートを示す、ＷＤ。
【請求項２６】
請求項２１から２５のいずれか１項に記載のＷＤ（２２）であって、
前記ランクネストされていない方法において、前記受信する少なくとも１つのポート表示は、それぞれが関連するランクのための複数のポート表示を含む、ＷＤ。
【請求項２７】
請求項２１から２６のいずれか１項に記載のＷＤ（２２）であって、
前記少なくとも１つのポート表示は複数のポート表示を含み、前記複数のポート表示の内のランクｋ（ｋ＝１，２，・・・，８）のためのポート表示は、ランクｋのＣＳＩ測定のためのｋ個のポートインデクスを含む、ＷＤ。
【請求項２８】
請求項２１から２７のいずれか１項に記載のＷＤ（２２）であって、
前記少なくとも１つのポート表示は複数のポート表示を含み、前記複数のポート表示のそれぞれは１つのポートインデクス表示を含み、前記１つのポートインデクス表示は、少なくとも１つのチャネル状態参照信号（ＣＳＩ−ＲＳ）リソースのポートインデクスを示す、ＷＤ。
【請求項２９】
請求項２１から２８のいずれか１項に記載のＷＤ（２２）であって、
前記生成したＣＳＩフィードバックは、非プリコーダ行列インジケータ（非ＰＭＩ）チャネル状態情報（ＣＳＩ）フィードバックを含み、前記非ＰＭＩ  ＣＳＩフィードバックは、ランクインジケータ（ＲＩ）と、少なくとも１つのチャネル品質インジケータ（ＣＱＩ）と、を含む、ＷＤ。
【請求項３０】
無線デバイス（ＷＤ）（２２）での方法であって、
ネットワークノード（１６）から、ランクネストされた方法及びランクネストされていない方法の内の１つでの少なくとも１つのポート表示を受信する（Ｓ１３８）ことと、
前記少なくとも１つのポート表示に基づいてチャネル状態情報（ＣＳＩ）フィードバックを生成する（Ｓ１４０）ことと、
を含む方法。
【請求項３１】
請求項３０に記載の方法であって、
前記少なくとも１つのポート表示は、少なくとも１つのポートインデクス表示を含む、方法。
【請求項３２】
請求項３０又は３１に記載の方法であって、
前記少なくとも１つのポート表示を受信することは、チャネル状態情報（ＣＳＩ）レポート設定構成において前記少なくとも１つのポート表示を受信することをさらに含む、方法。
【請求項３３】
請求項３０から３２のいずれか１項に記載の方法であって、
前記少なくとも１つのポート表示は、少なくとも１つのチャネル状態情報参照信号（ＣＳＩ−ＲＳ）リソース内のどのポートを、非プリコーダ行列インジケータ（非ＰＭＩ）ＣＳＩフィードバックのランク仮定のためのチャネル品質を測定するために使用するかを示し、前記非ＰＭＩ  ＣＳＩフィードバックは、プリコーダ行列インジケータの無いＣＳＩフィードバックである、方法。
【請求項３４】
請求項３０から３３のいずれか１項に記載の方法であって、
前記ランクネストされた方法において、前記受信する少なくとも１つのポート表示は、ポートインデクスのリストを含み、前記リストの最初のポートインデクスは、ランク１のチャネル状態情報（ＣＳＩ）測定のためのポートを示し、前記リストの最初の２つのポートインデクスは、ランク２のＣＳＩ測定のためのポートを示し、前記リストの１つ以上の最初のｋ（ｋ＝１，２，・・・，８）個のポートインデクスは、ランクｋのＣＳＩ測定のための１つ以上のポートを示す、方法。
【請求項３５】
請求項３０から３４のいずれか１項に記載の方法であって、
前記ランクネストされていない方法において、受信される前記少なくとも１つのポート表示は、それぞれが関連するランクのための複数のポート表示を含む、方法。
【請求項３６】
請求項３０から３５のいずれか１項に記載の方法であって、
ランクｋ（ｋ＝１，２，・・・，８）の前記少なくとも１つのポート表示は、ランクｋのＣＳＩ測定のためのｋ個のポートインデクスを含む、方法。
【請求項３７】
請求項３０から３６のいずれか１項に記載の方法であって、
前記少なくとも１つのポート表示は、少なくとも１つのポートインデクス表示を含み、前記少なくとも１つのポートインデクス表示は、少なくとも１つのチャネル状態情報参照信号（ＣＳＩ−ＲＳ）リソース内のポートインデクスを示す、方法。
【請求項３８】
請求項３０から３７のいずれか１項に記載の方法であって、
前記ＣＳＩフィードバックを生成することは、非プリコーダ行列インジケータ（非ＰＭＩ）チャネル状態情報（ＣＳＩ）フィードバックを生成することを含み、前記非ＰＭＩ  ＣＳＩフィードバックは、ランクインジケータ（ＲＩ）と、少なくとも１つのチャネル品質インジケータ（ＣＱＩ）と、を含む方法。
【発明の詳細な説明】
【技術分野】
【０００１】
無線通信、特に、非プリコーダ行列インジケータ（ＰＭＩ）チャネル状態情報（ＣＳＩ）フィードバックのためのポートインデクスシグナリングに関する。
【背景技術】
【０００２】
次世代のモバイル無線通信システム（５Ｇ）又はニューレディオ（ＮＲ）は、様々なユースケースセット及び様々な配置シナリオセットをサポートする。後者は、今日のロングタームエボリューション（ＬＴＥ）に似た低周波数（１００メガヘルツ）と、非常に高い周波数（数十ＧＨｚのミリ波）の両方の配置を含む。
【０００３】
ＬＴＥと同様に、ＮＲは、ダウンリンク（つまり、ネットワークノード又はｇＮＢから無線デバイス又はＷＤへ）において、ＣＰ−ＯＦＤＭとも呼ばれるサイクリックプレフィックス付きの単純な直交周波数分割多重（ＯＦＤＭ）を使用する。アップリンク（つまり、ＷＤからｇＮＢへ）においては、ＣＰ−ＯＦＤＭと離散フーリエ変換（ＤＦＴ）拡散ＯＦＤＭ（ＤＦＴ−Ｓ−ＯＦＤＭ）の両方がサポートされる。
【０００４】
したがって、基本的なＮＲ物理リソースは、図１に示されるような時間−周波数グリッドとして見做すことができ、各リソース要素（ＲＥ）は、１つのＯＦＤＭシンボル間隔中の１つのＯＦＤＭサブキャリアに対応する。コンポーネントキャリアは、１つ以上の帯域幅パート（ＢＷＰ）を含み、各ＢＷＰは、周波数領域において隣接する物理リソースブロック（ＰＲＢ）のグループで構成される。ＰＲＢには、ＢＷＰの一端から０で始まる番号が付与される。各ＰＲＢは１２サブキャリアで構成される。図１は、ＢＷＰの例を示している。
【０００５】
ＮＲでは、さまざまなサブキャリア間隔値がサポートされる。ＮＲでサポートされているサブキャリア間隔値（異なるヌメロロジーとも呼ばれる）は、Δｆ＝（１５×２α）ｋＨｚで与えられ、ここで、αは非負の整数であり、１５ｋＨｚのサブキャリア間隔は基準ヌメロロジーとして参照される。
【０００６】
時間領域において、ＮＲのダウンリンク及びアップリンク送信は、等しいサイズのサブフレームに編成される。各サブフレームは、１ｍｓの固定期間を有する。サブフレームは、同じ期間の１つ以上のスロットにさらに分割される。１４シンボルのスロットを図１に示す。ＮＲのデータスケジューリングは、スロットに基づき得る。スロットの持続時間は、異なるサブキャリア間隔において異なり得る。
【０００７】
ダウンリンク送信は動的にスケジュールされる、つまり、各スロットにおいて、ｇＮＢは、どのＷＤデータを送信するか、現在のダウンリンクスロットのどのＰＲＢでデータを送信するかについてのダウンリンク制御情報（ＤＣＩ）を送信する。この制御シグナリングは、通常、ＮＲの各スロットの最初の１つ又は２つのＯＦＤＭシンボルで送信される。制御情報は物理ダウンリンク制御チャネル（ＰＤＣＣＨ）で送信され、データは物理ダウンリンク共有チャネル（ＰＤＳＣＨ）で搬送される。ＷＤは、最初にＰＤＣＣＨを検出及び復号し、ＰＤＣＣＨを正常に復号すると、ＷＤは、ＰＤＣＣＨの復号された制御情報に基づいて対応するＰＤＳＣＨを復号する。
【０００８】
アップリンクデータ送信も、ＰＤＣＣＨを使用して動的にスケジュールされる。ダウンリンクと同様に、ＷＤは、まずＰＤＣＣＨのアップリンクグラントを復号し、次に、変調次数、符号化レート、アップリンクリソース割り当て等の、アップリンクグラントで復号された制御情報に基づき、物理アップリンク共有チャネル（ＰＵＳＣＨ）でデータを送信する。
【０００９】
空間多重化
マルチアンテナ技術は、無線通信システムのデータレート及び信頼性を非常に増加させることができる。送信機及び受信機の両方がマルチアンテナを有すると、多入力多出力（ＭＩＭＯ）通信チャネルが形成され、パフォーマンスは、特に改善される。その様なシステム及び／又は関連技術は、通常、ＭＩＭＯとして参照される。
【００１０】
ＬＴＥ及びＮＲのコアコンポーネントは、ＭＩＭＯアンテナ配置とＭＩＭＯ関連技術のサポートである。空間多重化は、良好なチャネル条件で高いデータレートを実現するために使用されるＭＩＭＯ技術の１つである。図２は、空間多重化動作を示している。
【００１１】
図示する様に、シンボルベクトルｓ＝［ｓ１，ｓ２，・・・，ｓｒ］Ｔを搬送する情報は、ＮＴ×ｒプリコーダ行列Ｗにより乗算され、これは、ＮＴ（ＮＴアンテナポートに対応）次元ベクトル空間の部分空間に送信エネルギーを分配する。プリコーダ行列は、通常、可能なプリコーダ行列のコードブックから選択され、通常、プリコーダ行列インジケータ（ＰＭＩ）によって示され、ＰＭＩは、所定数のシンボルストリームに対してコードブック内の一意のプリコーダ行列を指定する。ベクトルｓのｒ個のシンボルは、それぞれレイヤに対応し、ｒは送信ランクと呼ばれる。この様に、同じ時間／周波数リソース要素（ＲＥ）で複数のシンボルを同時に送信できるため、空間多重化が実現される。通常、シンボル数ｒは、現在のチャネルプロパティに合わせて調整される。
【００１２】
特定のＲＥｎにおいてＮＲ個の受信アンテナを有するＷＤでの受信信号は、
ｙｎ＝ＨｎＷｓ＋ｅｎ
で与えられ、ここで、ｙｎはＮＲ×１受信信号ベクトルであり、Ｈｎは、ＲＥでのＮＲ×ＮＴチャネル行列であり、ｅｎは、ＷＤがＲＥで受信したＮＲ×１ノイズ及び干渉ベクトルである。プリコーダＷは、周波数に対して一定である広帯域プリコーダ、又は、周波数により異なる周波数選択的とすることができる。
【００１３】
プリコーダ行列は、しばしば、ＮＲ×ＮＴＭＩＭＯチャネル行列Ｈｎの特性に一致する様に選択され、その結果、所謂、チャネル依存のプリコーディングとなる。これは一般に閉ループプリコーディングとも呼ばれ、送信エネルギーの多くをＷＤに伝達するという意味で強力な部分空間に送信エネルギーを集中させる。さらに、プリコーダ行列は、チャネルを直交化するために選択され、これは、ＷＤでの適切な線形等化の後、レイヤ間干渉が減少することを意味する。
【００１４】
送信ランク、したがって空間的に多重化されたレイヤの数は、プリコーダの列数に反映される。送信ランクは、ＷＤで観測された信号対雑音及び干渉比（ＳＩＮＲ）にも依存する。通常、より高いランクの送信には、より高いＳＩＮＲが必要である。効率的なパフォーマンスのため、チャネルプロパティ及び干渉に一致する送信ランクを選択することが重要である。
【００１５】
ＣＳＩ−ＲＳ：チャネル状態情報参照信号
ＣＳＩ−ＲＳは、ＷＤによるＣＳＩ推定に使用される参照信号である。ＷＤは、受信したＣＳＩ−ＲＳに基づいて、ｇＮＢの各送信アンテナポートとＷＤの受信アンテナとの間の個々の無線伝搬チャネルを推定する。各アンテナポートは、ＮＲの特定のＲＥ及びスロットでＣＳＩ−ＲＳ信号を搬送する。８つのアンテナポートのＣＳＩ−ＲＳ信号を搬送するために使用されるＲＥの例を図３に示し、図３では、１つのスロット上の１つのＰＲＢを示している。ＣＳＩ−ＲＳは通常、設定された帯域幅内のすべてのＰＲＢの同じＲＥで送信される。この例において、８つのポートのＣＳＩ−ＲＳリソースは、１つのＯＦＤＭシンボル内の４つのＲＥペアで構成されている。２つのアンテナポートは、長さ２の直交カバーコード（ＯＣＣ）又はＣＤＭ２を使用することで、隣接するＲＥのペアにコード分割多重（ＣＤＭ）される。
【００１６】
１６ポートのＣＳＩ−ＲＳリソースの別の例を図４に示し、図４では、２つのＯＦＤＭシンボル中に１６個のＲＥが割り当てられている。ＲＥはさらに４つのグループに分けられ、それぞれに４つの隣接するＲＥがある。４つのアンテナポートは、２×２の直交カバーコード（ＯＣＣ）又はＣＤＭ４を使用することで、４つの隣接ＲＥのグループにコード分割多重（ＣＤＭ）される。
【００１７】
以下の表１は、ＮＲのＣＳＩ−ＲＳリソースのためのすべての可能なＲＥパターンを示している。表１において、Ｙ及びＺはそれぞれ、コンポーネントリソースを形成する隣接サブキャリアとＯＦＤＭシンボルの数を示している。たとえば、（Ｙ、Ｚ）＝（２，２）は、コンポーネントリソースが、２つの隣接するサブキャリアと２つの隣接するＯＦＤＭシンボルの４つのＲＥを含むことを意味する。ＣＳＩ−ＲＳリソースは、１つ以上のそのようなコンポーネントリソースを含み得る。さらに、表１では、ＣＤＭに次の表記が使用される。
・ＦＤ−ＣＤＭ２は、周波数に沿った２つのＲＥ上のＣＤＭ２（つまり、長さ２のＯＣＣを使用）を意味する。
・ＣＤＭ４（ＦＤ２、ＴＤ２）は、周波数に沿った２つのＲＥと時間に沿った２つのＲＥ上のＣＤＭ４（つまり、長さ４のＯＣＣを使用）を意味する。
・ＣＤＭ８（ＦＤ２、ＴＤ４）は、周波数に沿った２つのＲＥと時間に沿った４つのＲＥ上のＣＤＭ８（つまり、長さ８のＯＣＣを使用）を意味する。
【００１８】
密度１の場合、ＣＳＩ−ＲＳは周波数ドメインのすべてのＰＲＢで送信され、密度１／２の場合、ＣＳＩ−ＲＳは、周波数ドメインの、偶数又は奇数の総てのＰＲＢで送信される。
【００１９】
【表１】
2021502741.tif 000003
【００２０】
相対性ベース動作のための非ＰＭＩＣＳＩフィードバック
相対性ベース動作において、アップリンクチャネルは、サウンディング参照信号（ＳＲＳ）などのアップリンク参照信号に基づいて推定される。時分割複信（ＴＤＤ）システムにおいては、同じキャリア周波数がダウンリンクとアップリンクの両方に使用される。したがって、推定されたアップリンクチャネルを使用して、ダウンリンクプリコーディング行列Ｗを導出できる。ただし、ＷＤで発生するダウンリンク干渉は、通常、ｇＮＢで発生するアップリンク干渉とは異なるため、アップリンクチャネル推定に基づいてＣＱＩ（チャネル品質インジケータ）を正確に導出することは困難である。ＣＱＩは、ＬＴＥ及びＮＲにおいて、データ送信に使用できる変調及びコーディングレートを示すために使用され、一般に、ＣＱＩは、受信機での信号対雑音及び干渉比（ＳＩＮＲ）と受信機のタイプによって決定される。
【００２１】
相対性ベース動作でのリンク適応を改善するために、ｇＮＢがプリコードされたＣＳＩ−ＲＳをＷＤに送信する非ＰＭＩフィードバック方式がＮＲにおいて採用された。一例を図５に示し、ここで、プリコーディングされた各ＣＳＩ−ＲＳポートはＭＩＭＯレイヤに対応し、プリコーディング行列ＷＮＴ×ｒはアップリンクから導出され、ｒはアップリンクチャネルに基づいて推定されたＭＩＭＯレイヤ数である。ＷＤは、受信したＣＳＩ−ＲＳとＷＤから見た実際の干渉とに基づいて実際のランク及びＣＱＩを推定し、推定したランク及びＣＱＩをフィードバックする。ランク及びＣＱＩ計算のため、ＷＤは各ランクに単一のプリコーダを想定する。ランクｋのプリコーダは、Ｐ×Ｐ識別行列の最初のｋ列によって形成される行列であり、ここで、ＰはプリコードされたＣＳＩ−ＲＳポート数であり、本例においてＰ＝ｒである。
【発明の概要】
【発明が解決しようとする課題】
【００２２】
第３世代パートナーシッププロジェクト（３ＧＰＰ）無線アクセスネットワーク（ＲＡＮ）ワークグループ１（ＲＡＮ１）ミーティングにおいて、非ＰＭＩフィードバックとは、ＷＤ用に構成されたＣＳＩ−ＲＳリソース内のポートのサブセットがプリコーディングされてＷＤに送信されると考えられており、その結果、非ＰＭＩフィードバックのためには、ＷＤにポートのサブセットをさらに通知する必要がある。たとえば、ＷＤは１６ポートのＣＳＩ−ＲＳリソースで構成され、４つのポートのみが実際のプリコーディングされたＣＳＩ−ＲＳ送信に使用され得る。ポートインデクスのシグナリングは、無線リソース制御（ＲＲＣ）シグナリングを介して半静的に行われ得ると検討されている。以下は、ＮＲについての検討である。
【００２３】
非ＰＭＩフィードバックの場合、以下のポートインデクス表示方法がサポートされる。
●非ＰＭＩフィードバックでのＲＩ／ＣＱＩ計算のために、ポートインデクス表示がＷＤに通知される。
○ＣＳＩ−ＲＳリソースごとのポートインデクス表示は、ランクごとのＲＩ／ＣＱＩ計算に使用されるＣＳＩ−ＲＳポートを選択するためにＲＲＣによって構成される。
・識別行列は、ＷＤによって、ＲＩ／ＣＱＩ計算用に選択されたＣＳＩ−ＲＳポートについて想定される。
・ランクＮのためにＮ個のポートが選択される。
・ＣＳＩフレームワークでのＣＳＩレポート用にＣＳＩ−ＲＳリソースが動的に選択され得る。
【００２４】
ＮＲのＣＳＩフレームワーク
ＮＲにおいて、ＷＤは、Ｎ´≧１ＣＳＩレポート設定、Ｍ´≧１リソース設定、及び、１つのＣＳＩ測定設定で構成でき、ＣＳＩ測定設定はＬ´≧１リンクを含むことが検討されている。Ｌ´リンクのそれぞれは、ＣＳＩレポート設定とリソース設定に対応する。
【００２５】
少なくとも以下の構成パラメータが、少なくともＣＳＩ取得のためにＲＲＣ経由で通知される。
●Ｎ´、Ｍ´及びＬ´−暗黙的又は明示的に示される
●各ＣＳＩレポート設定には、少なくとも報告されたＣＳＩパラメータ、報告された場合にはＣＳＩタイプ（Ｉ又はＩＩ）、コードブックサブセット制限を含むコードブック構成、時間領域の挙動（つまり、周期的、半静的、非周期的）、ＣＱＩ及びＰＭＩの周波数粒度、及び、測定制限の構成
●各リソース設定で：
○Ｓ´≧１ＣＳＩ−ＲＳリソースセットの構成：
・注意：各セットは、ＷＤに設定されたすべてのＣＳＩ−ＲＳリソースの"プール"からの異なる選択に対応する。
○少なくともＲＥへのマッピング、ポート数、時間領域の挙動などを含む、各セットｓのＫ´ｓ≧１ＣＳＩ−ＲＳリソースの構成等
○ＣＳＩ測定設定の各Ｌ´：ＣＳＩレポート設定表示、リソース設定表示、測定量（チャネル又は干渉のいずれか）
・１つのＣＳＩレポート設定は、１つ以上のリソース設定にリンクされ得る。
・複数のＣＳＩレポート設定は、同じリソース設定にリンクされ得る。
【００２６】
該当する場合、少なくとも以下のものがレイヤ１又はレイヤ２シグナリングによって動的に選択される。
・ＣＳＩ測定設定内の１つ以上のＣＳＩレポート設定。
・少なくとも１つのリソース設定から選択された１つ以上のＣＳＩ−ＲＳリソースセット。
・少なくとも１つのＣＳＩ−ＲＳリソースセットから選択された１つ以上のＣＳＩ−ＲＳリソース。
【００２７】
非ＰＭＩ  ＣＳＩフィードバックの場合、ＣＳＩ−ＲＳリソースごとのポートインデクス表示は、ランクごとのＲＩ／ＣＱＩ計算に使用されるＣＳＩ−ＲＳポートを選択するために、無線リソース制御（ＲＲＣ）によって構成されることが検討されたが、ＲＲＣによるポートインデクス表示をどの様に構成するかについては、未解決の問題である。さらに、選択されたポートについて、プリコーダがポートにどの様に適用されるかが、別の未解決の問題である。
【課題を解決するための手段】
【００２８】
幾つかの実施形態は、非プリコーダ行列インジケータ（ＰＭＩ）チャネル状態情報（ＣＳＩ）フィードバックのためのポートインデクスシグナリングを有利に提供する。
【００２９】
ポートインデクス表示のための幾つかのＲＲＣシグナリング方法が提案され、例えば、以下のものを含み得る。
１．ビットマップベースのアプローチであり、各ビットはＣＳＩ−ＲＳリソースの１つのポートに関連付けられ、ビットマップの対応するビットが１に設定されている場合はポートが選択される。
２．開始ポートインデクスとポート数をシグナリングし、そこでは、ＣＳＩ−ＲＳリソース内の隣接ポートのみが選択される。
３．ポートインデクスは、同じコード分割多重（ＣＤＭ）グループ内にあるか、同じＯＦＤＭシンボル内にある様に制限される。
【００３０】
幾つかの実施形態において、プリコーダの決定のために、Ｎ個の選択されたポートは、ポートインデクスに従って昇順で配置され、ランクｋのプリコーディング行列は、Ｎ×Ｎ識別行列の最初のｋ列からなり、最初のポートに関連付けられている識別行列の各列の最初の要素は、最小のポートインデクスを有し、最後のポートに関連付けられている識別行列の各列の最後の要素は、最大のポートインデクスを有する。
【００３１】
一態様によると、無線デバイス（ＷＤ）と通信する様に構成されたネットワークノードが提供される。ネットワークノードは、ランクネストされた方法及びランクネストされていない方法の内の１つでの少なくとも１つのポート表示を生成する様に構成された処理回路と、ランクネストされた方法及びランクネストされていない方法の内の１つでの少なくとも１つのポート表示をシグナリングする様に構成された無線インタフェースと、を備えている。
【００３２】
この態様の幾つかの実施形態において、少なくとも１つのポート表示は、少なくとも１つのポートインデクス表示を含む。この態様の幾つかの実施形態において、無線インタフェースは、チャネル状態情報（ＣＳＩ）レポート設定構成において少なくとも１つのポート表示をシグナリングする様にさらに構成されることによって、少なくとも１つのポート表示をシグナリングする様に構成される。この態様の幾つかの実施形態において、少なくとも１つのポート表示は、少なくとも１つのチャネル状態情報参照信号（ＣＳＩ−ＲＳ）リソース内のどのポートを、非プリコーダ行列インジケータ（非ＰＭＩ）ＣＳＩフィードバックのランク仮定のためのチャネル品質を測定するために使用するかを示し、非ＰＭＩＣＳＩフィードバックは、プリコーダ行列インジケータのないＣＳＩフィードバックである。この態様の幾つかの実施形態のランクネストされた方法において、少なくとも１つのポート表示は、ポートインデクスのリストを含み、リストの最初のポートインデクスがランク１のチャネル状態情報（ＣＳＩ）測定のためのポートを示し、リストの最初の２つのポートインデクスは、ランク２のＣＳＩ測定のためのポートを示し、リストの１つ以上の最初のｋ（ｋ＝１，２，・・・，８）個のポートインデクスは、ランクｋのＣＳＩ測定のための１つ以上のポートを示す。この態様の幾つかの実施形態のランクネストされていない方式において、少なくとも１つのポート表示は、それぞれが関連するランクのための複数のポート表示を含む。この態様の幾つかの実施形態において、ランクｋ（ｋ＝１，２，・・・，８）の少なくとも１つのポート表示は、ランクｋのＣＳＩ測定のためのｋ個のポートインデクスを含む。この態様の幾つかの実施形態において、少なくとも１つのポート表示は、無線デバイスにシグナリングされる。この態様の幾つかの実施形態において、少なくとも１つのポート表示は、少なくとも１つのポートインデクス表示を含み、少なくとも１つのポートインデクス表示は、少なくとも１つのチャネル状態情報参照信号（ＣＳＩ−ＲＳ）リソース内のポートインデクスを示す。この態様の幾つかの実施形態において、無線インタフェースは、無線デバイスから、非プリコーダ行列インジケータ（非ＰＭＩ）チャネル状態情報（ＣＳＩ）フィードバックを受信する様に構成され、非ＰＭＩ  ＣＳＩフィードバックは、ランクインジケータ（ＲＩ）と、少なくとも１つのチャネル品質インジケータ（ＣＱＩ）と、を含む。
【００３３】
別の態様によると、ネットワークノードにおける方法が提供される。方法は、ランクネストされた方法及びランクネストされていない方法の内の１つでの少なくとも１つのポート表示を生成することと、ランクネストされた方法及びランクネストされていない方法の内の１つでの少なくとも１つのポート表示をシグナリングすることと、を含む。
【００３４】
この態様の幾つかの実施形態において、少なくとも１つのポート表示は、少なくとも１つのポートインデクス表示を含む。この態様の幾つかの実施形態において、少なくとも１つのポート表示をシグナリングすることは、チャネル状態情報（ＣＳＩ）レポート設定構成において少なくとも１つのポート表示をシグナリングすることをさらに含む。この態様の幾つかの実施形態において、少なくとも１つのポート表示は、少なくとも１つのチャネル状態情報参照信号（ＣＳＩ−ＲＳ）リソース内のどのポートを、非プリコーダ行列インジケータ（非ＰＭＩ）ＣＳＩフィードバックのランク仮定のためのチャネル品質を測定するために使用するかを示し、非ＰＭＩ  ＣＳＩフィードバックは、プリコーダ行列インジケータのないＣＳＩフィードバックである。この態様の幾つかの実施形態のランクネストされた方法において、少なくとも１つのポート表示は、ポートインデクスのリストを含み、リストの最初のポートインデクスがランク１のチャネル状態情報（ＣＳＩ）測定のためのポートを示し、リストの最初の２つのポートインデクスは、ランク２のＣＳＩ測定のためのポートを示し、リストの１つ以上の最初のｋ（ｋ＝１，２，・・・，８）個のポートインデクスは、ランクｋのＣＳＩ測定のための１つ以上のポートを示す。この態様の幾つかの実施形態のランクネストされていない方式において、少なくとも１つのポート表示は、それぞれが関連するランクのための複数のポート表示を含む。この態様の幾つかの実施形態において、ランクｋ（ｋ＝１，２，・・・，８）の少なくとも１つのポート表示は、ランクｋのＣＳＩ測定のためのｋ個のポートインデクスを含む。この態様の幾つかの実施形態において、少なくとも１つのポート表示をシグナリングすることは、無線デバイスに少なくとも１つのポート表示をシグナリングすることをさらに含む。この態様の幾つかの実施形態において、少なくとも１つのポート表示は、少なくとも１つのポートインデクス表示を含み、少なくとも１つのポートインデクス表示は、少なくとも１つのチャネル状態情報参照信号（ＣＳＩ−ＲＳ）リソース内のポートインデクスを示す。この態様の幾つかの実施形態において、方法は、無線デバイスから、非プリコーダ行列インジケータ（非ＰＭＩ）チャネル状態情報（ＣＳＩ）フィードバックを受信することを含み、非ＰＭＩ  ＣＳＩフィードバックは、ランクインジケータ（ＲＩ）と、少なくとも１つのチャネル品質インジケータ（ＣＱＩ）と、を含む。
【００３５】
さらに別の態様によれば、ネットワークノードと通信する様に構成された無線デバイス（ＷＤ）が提供される。ＷＤは、ネットワークノードから、ランクネストされた方法及びランクネストされていな方法の内の１つでの少なくとも１つのポート表示を受信する様に構成された無線インタフェースと、少なくとも１つのポート表示に基づいてチャネル状態情報（ＣＳＩ）フィードバックを生成する様に構成された処理回路と、を備えている。
【００３６】
この態様の幾つかの実施形態において、少なくとも１つのポート表示は、少なくとも１つのポートインデクス表示を含む。この態様の幾つかの実施形態において、少なくとも１つのポート表示は、チャネル状態情報（ＣＳＩ）レポート設定構成に含まれる。この態様の幾つかの実施形態において、少なくとも１つのポート表示は、少なくとも１つのチャネル状態情報参照信号（ＣＳＩ−ＲＳ）リソース内のどのポートを、非プリコーダ行列インジケータ（非ＰＭＩ）ＣＳＩフィードバックのランク仮定のためのチャネル品質を測定するために使用するかを示し、非ＰＭＩ  ＣＳＩフィードバックは、プリコーダ行列インジケータのないＣＳＩフィードバックである。この態様の幾つかの実施形態のランクネストされた方法において、受信される少なくとも１つのポート表示は、ポートインデクスのリストを含み、リストの最初のポートインデクスがランク１のチャネル状態情報（ＣＳＩ）測定のためのポートを示し、リストの最初の２つのポートインデクスは、ランク２のＣＳＩ測定のためのポートを示し、リストの１つ以上の最初のｋ（ｋ＝１，２，・・・，８）個のポートインデクスは、ランクｋのＣＳＩ測定のための１つ以上のポートを示す。この態様の幾つかの実施形態のランクネストされていない方法において、受信される少なくとも１つのポート表示は、それぞれが関連するランクのための複数のポート表示を含む。この態様の幾つかの実施形態において、少なくとも１つのポート表示は複数のポート表示を含み、複数のポート表示の内のランクｋ（ｋ＝１，２，・・・，８）のためのポート表示は、ランクｋのＣＳＩ測定のためのｋ個のポートインデクスを含む。この態様の幾つかの実施形態において、少なくとも１つのポート表示は複数のポート表示を含み、複数のポート表示のそれぞれは１つのポートインデクス表示を含み、少なくとも１つのポートインデクス表示は、少なくとも１つのチャネル状態参照信号（ＣＳＩ−ＲＳ）リソースのポートインデクスを示す。この態様の幾つかの実施形態において、生成されたＣＳＩ−ＲＳフィードバックは、非プリコーダ行列インジケータ（非ＰＭＩ）チャネル状態情報（ＣＳＩ）フィードバックを含み、非ＰＭＩ  ＣＳＩフィードバックは、ランクインジケータ（ＲＩ）と、少なくとも１つのチャネル品質インジケータ（ＣＱＩ）と、を含む。
【００３７】
別の態様によると、無線デバイス（ＷＤ）における方法が提供される。方法は、ネットワークノードから、ランクネストされた方法及びランクネストされていない方法の内の１つでの少なくとも１つのポート表示を受信することと、少なくとも１つのポート表示に基づいてチャネル状態情報（ＣＳＩ）フィードバックを生成することと、を含む。
【００３８】
この態様の幾つかの実施形態において、少なくとも１つのポート表示は、少なくとも１つのポートインデクス表示を含む。この態様の幾つかの実施形態において、少なくとも１つのポート表示を受信することは、チャネル状態情報（ＣＳＩ）レポート設定構成において少なくとも１つのポート表示を受信することをさらに含む。この態様の幾つかの実施形態において、少なくとも１つのポート表示は、少なくとも１つのチャネル状態情報参照信号（ＣＳＩ−ＲＳ）リソース内のどのポートを、非プリコーダ行列インジケータ（非ＰＭＩ）ＣＳＩフィードバックのランク仮定のためのチャネル品質を測定するために使用するかを示し、非ＰＭＩ  ＣＳＩフィードバックは、プリコーダ行列インジケータのないＣＳＩフィードバックである。この態様の幾つかの実施形態のランクネストされた方法において、受信される少なくとも１つのポート表示は、ポートインデクスのリストを含み、リストの最初のポートインデクスがランク１のチャネル状態情報（ＣＳＩ）測定のためのポートを示し、リストの最初の２つのポートインデクスは、ランク２のＣＳＩ測定のためのポートを示し、リストの１つ以上の最初のｋ（ｋ＝１，２，・・・，８）個のポートインデクスは、ランクｋのＣＳＩ測定のための１つ以上のポートを示す。この態様の幾つかの実施形態のランクネストされていない方法において、受信される少なくとも１つのポート表示は、それぞれが関連するランクのための複数のポート表示を含む。この態様の幾つかの実施形態において、少なくとも１つのポート表示は複数のポート表示を含み、複数のポート表示の内のランクｋ（ｋ＝１，２，・・・，８）のためのポート表示は、ランクｋのＣＳＩ測定のためのｋ個のポートインデクスを含む。この態様の幾つかの実施形態において、少なくとも１つのポート表示は複数のポート表示を含み、複数のポート表示のそれぞれは１つのポートインデクス表示を含み、少なくとも１つのポートインデクス表示は、少なくとも１つのチャネル状態参照信号（ＣＳＩ−ＲＳ）リソースのポートインデクスを示す。この態様の幾つかの実施形態において、ＣＳＩ−ＲＳフィードバックを生成することは、非プリコーダ行列インジケータ（非ＰＭＩ）チャネル状態情報（ＣＳＩ）フィードバックを生成することを含み、非ＰＭＩ  ＣＳＩフィードバックは、ランクインジケータ（ＲＩ）と、少なくとも１つのチャネル品質インジケータ（ＣＱＩ）と、を含む。
【００３９】
本実施形態と、それに付随する利点及び特徴のより完全な理解は、以下の詳細な説明を参照し、添付の図面と併せて考慮することによってより容易に理解されるであろう。
【図面の簡単な説明】
【００４０】
【図１】時間−周波数グリッドを示す図。
【図２】空間多重化動作の説明図。
【図３】８つのアンテナポートのためのＣＳＩ−ＲＳ信号を搬送するために使用されるＲＥの例。
【図４】１６ポートのＣＳＩ−ＲＳリソースの例。
【図５】各プリコードされたＣＳＩ−ＲＳポートがＭＩＭＯレイヤに対応する非ＰＭＩフィードバックの例。
【図６】本開示の原理による、中間ネットワークを介してホストコンピュータに接続された通信ネットワークを示す例示的なネットワークアーキテクチャの概略図。
【図７】本開示の幾つかの実施形態による、少なくとも部分的な無線接続を介して、ネットワークノード経由で無線デバイスと通信するホストコンピュータのブロック図。
【図８】本開示の幾つかの実施形態によるネットワークノードの代替実施形態のブロック図。
【図９】本開示の幾つかの実施形態による無線デバイスの代替実施形態のブロック図。
【図１０】本開示の幾つかの実施形態によるホストコンピュータの代替実施形態のブロック図。
【図１１】本開示の幾つかの実施形態による、無線デバイスにおいてクライアントアプリケーションを実行するための、ホストコンピュータ、ネットワークノード及び無線デバイスを含む通信システムにおいて実行される例示的な方法のフローチャート。
【図１２】本開示の幾つかの実施形態による、無線スデバイスにおいてユーザデータを受信するために、ホストコンピュータ、ネットワークノード、及び無線デバイス含む通信システムにおいての実行される例示的な方法のフローチャート。
【図１３】本開示の幾つかの実施形態による、ホストコンピュータにおいて無線デバイスからユーザデータを受信するために、ホストコンピュータ、ネットワークノード、及び無線デバイス含む通信システムにおいて実行される例示的な方法のフローチャート。
【図１４】本開示の幾つかの実施形態による、ホストコンピュータにおいてユーザデータを受信するために、ホストコンピュータ、ネットワークノード、及び無線デバイス含む通信システムにおいての実行される例示的な方法のフローチャート。
【図１５】本開示の幾つかの実施形態による、ポートインデクス表示を生成及びシグナリングするためのネットワークノードにおける例示的なプロセスのフローチャート。
【図１６】本開示の幾つかの実施形態による、ポートインデクス表示を受信及び処理するための無線デバイスにおける例示的なプロセスのフローチャート。
【図１７】本開示の幾つかの実施形態による、無線デバイスから受信したシグナリングに基づいてポートインデクス表示を生成するためのネットワークノードにおける例示的なプロセスのフローチャート。
【図１８】本開示の幾つかの実施形態による、所望ポートの表示をシグナリングするための無線デバイスにおける例示的なプロセスのフローチャート。
【発明を実施するための形態】
【００４１】
例示的な実施形態の詳細を説明する前に、実施形態は主に、非プリコーダ行列インジケータ（ＰＭＩ）チャネル状態情報（ＣＳＩ）フィードバックのためのポートインデクスシグナリングに関連する装置コンポーネント及び処理ステップの組み合わせにあることに留意されたい。したがって、構成要素は、図面における従来の記号により、本開示の実施形態を理解することに関連する特定の詳細のみを示し、本開示の利点を有する技術分野の当業者には容易に明らかとなる程度の詳細で本開示を曖昧にしない様に記載される。
【００４２】
本明細書で使用されるとき、"第１"、"第２"、"上部"及び"下部"などの関係用語は、その様なエンティティ又は要素間の物理的又は論理的な関係や順序を暗示・必要とすることなく、あるエンティティ又は要素を別のエンティティ又は要素から区別するためにのみ使用される。本明細書で使用される用語は、特定の実施形態を説明することのみを目的としており、本明細書で説明されている概念を限定することを意図していない。単数形式は、文脈が明らかに他の場合を示している場合を除き、複数形式を含むことが意図される。本明細書で使用されるとき、用語"含む"、"備える"及び／又は"有する"は、記載された特徴、整数、ステップ、動作、要素、及び／又は、構成要素の存在を特定するが、１つ以上の他の特徴、整数、ステップ、動作、要素、構成要素、及び／又は、それらのグループの存在又は追加を排除しない。
【００４３】
本明細書に記載の実施形態では、"〜と通信する"などの用語は、物理的接触、誘導、電磁放射、無線信号、赤外線信号又は光信号によって達成され得る電気又はデータ通信を示すために使用され得る。当業者は、複数の構成要素が相互動作でき、電気的通信及びデータ通信を達成するための修正形態及び変形形態が可能であることを理解するであろう。
【００４４】
幾つかの実施形態において、用語"結合"及び"接続"は、接続を示すために使用され、直接的である必要はなく、有線及び／又は無線接続を含み得る。
【００４５】
本明細書で使用される"ネットワークノード"という用語は、基地局（ＢＳ）、無線基地局、基地トランシーバ局（ＢＴＳ）、基地局コントローラ（ＢＳＣ）、無線ネットワークコントローラ（ＲＮＣ）、ｇノードＢ（ｇＮＢ）、発展型ノードＢ（ｅＮＢ又はｅＮｏｄｅＢ）、ノードＢ、ＭＳＲ  ＢＳなどのマルチスタンダード無線（ＭＳＲ）無線ノード、マルチセル／マルチキャスト調整エンティティ（ＭＣＥ）、リレーノード、リレーを制御するドナーノード、無線アクセスポイント（ＡＰ）、送信ポイント、送信ノード、リモート無線ユニット（ＲＲＵ）、リモート無線ヘッド（ＲＲＨ）、コアネットワークノード（モバイル管理エンティティ（ＭＭＥ）、セルフオーガナイジングネットワーク（ＳＯＮ）ノード、調整ノード、測位ノード、ＭＤＴノードなど）、外部ノード（たとえば、サードパーティノード、現在のネットワークの外部のノード）、分散アンテナシステム（ＤＡＳ）のノード、スペクトルアクセスシステム（ＳＡＳ）ノード、要素管理システム（ＥＭＳ）などを含み得る、無線ネットワークに含まれる任意種別のネットワークノードであり得る。ネットワークノードは、テスト機器も含み得る。本明細書で使用される"無線ノード"という用語は、無線デバイス（ＷＤ）又は無線ネットワークノードなどの無線デバイス（ＷＤ）を示すためにも使用され得る。
【００４６】
幾つかの実施形態では、非限定的な用語の無線デバイス（ＷＤ）又はユーザ機器（ＵＥ）は互換的に使用される。本明細書のＷＤは、無線デバイス（ＷＤ）など、無線信号を介してネットワークノード又は別のＷＤと通信することができる任意のタイプの無線デバイスであり得る。ＷＤは、無線通信デバイス、ターゲットデバイス、デバイス間（Ｄ２Ｄ）ＷＤ、マシンタイプＷＤ、又はマシン間通信（Ｍ２Ｍ）が可能なＷＤ、低コスト及び／又は複雑さの低いＷＤ、センサ装備ＷＤ、タブレット、モバイル端末、スマートフォン、ラップトップ組み込み機器（ＬＥＥ）、ラップトップ搭載機器（ＬＭＥ）、ＵＳＢドングル、顧客宅内機器（ＣＰＥ）、ＩｏＴ（モノのインターネット）デバイス、又は、狭帯域ＩｏＴ（ＮＢ−ＩＯＴ）デバイスなどを含み得る。
【００４７】
また、幾つかの実施形態において、"無線ネットワークノード"という一般的な用語が使用される。それは、基地局、無線基地局、基地トランシーバ局、基地局コントローラ、ネットワークコントローラ（ＲＮＣ）、発展型ノードＢ（ｅＮＢ）、ノードＢ、ｇＮＢ、マルチセル／マルチキャスト調整エンティティ（ＭＣＥ）、リレーノード、アクセスポイント、無線アクセスポイント、リモート無線ユニット（ＲＲＵ）、リモート無線ヘッド（ＲＲＨ）のいずれかを含み得る任意種別の無線ネットワークノードであり得る。
【００４８】
例えば３ＧＰＰ  ＬＴＥなどの１つの特定の無線システムからの用語が本開示で使用され得るが、これは、本開示の範囲を前述のシステムのみに限定すると見なされるべきではないことに留意されたい。広帯域コード分割多元接続（ＷＣＤＭＡ）、ＷｉＭａｘ（ＷｏｒｌｄｗｉｄｅＩｎｔｅｒｏｐｅｒａｂｉｌｉｔｙｆｏｒＭｉｃｒｏｗａｖｅＡｃｃｅｓｓ）、ウルトラモバイルブロードバンド（ＵＭＢ）、及びＧＳＭ（ＧｌｏｂａｌＳｙｓｔｅｍｆｏｒＭｏｂｉｌｅＣｏｍｍｕｎｉｃａｔｉｏｎｓ）を含むがこれらに限定されない他の無線システムも、本開示でカバーされるアイデアを活用することで利益を得ることができる。
【００４９】
さらに、無線デバイス又はネットワークノードによって実行されるものとして本明細書で説明されている機能は、複数の無線デバイス及び／又はネットワークノードに渡り分散させることができることに留意されたい。言い換えると、本明細書に記載のネットワークノード及び無線デバイスの機能は、単一の物理デバイスによって実行されることに限定されず、実際、幾つかの物理デバイス間に分散され得る。
【００５０】
他に定義されない限り、本明細書で使用されるすべての用語（技術的及び科学的用語を含む）は、本開示が属する技術分野の当業者によって一般に理解されるのと同じ意味を有する。さらに、本明細書で使用される用語は、本明細書及び関連技術の文脈におけるそれらの意味と一致する意味を有すると解釈されるべきであり、本明細書で明確に定義されない限り理想的又は過度に形式的な意味で解釈されない。
【００５１】
実施形態は、非プリコーダ行列インジケータ（ＰＭＩ）チャネル状態情報（ＣＳＩ）フィードバックのためにポートインデクスをシグナリングするための方法、無線デバイス及びネットワークノードを提供する。シグナリングは、各ビットがＷＤのＣＳＩ−ＲＳリソースの異なるポートに関連付けられるビットマップベースのアプローチを含む。ポートは、その関連ビットを選択することにより選択される。あるいは、シグナリングは、開始ポートインデクスと、ポート数と、を含む。或いは、ポートインデクスは、同じＣＤＭグループにある様に制限され得る。この様に、実施形態は、ＲＲＣによってポートインデクスを構成するための代替を提供する。
【００５２】
同様の参照符号が同様の要素を指す図面を参照すると、図６には、無線アクセスネットワークなどのアクセスネットワーク１２及びコアネットワーク１４を含む、３ＧＰＰタイプのセルラネットワークなどの通信システム１０が示されている。アクセスネットワーク１２は、ＮＢ、ｅＮＢ、ｇＮＢ又は他のタイプの無線アクセスポイントなどの複数のネットワークノード１６ａ、１６ｂ、１６ｃ（総称してネットワークノード１６として参照する）を有し、それぞれが対応するカバレッジエリア１８ａ、１８ｂ、１８ｃ（総称してカバレッジエリア１８として参照する）を定義する。各ネットワークノード１６ａ、１６ｂ、１６ｃは、有線又は無線接続２０を介してコアネットワーク１４に接続可能である。カバレッジエリア１８ａに位置する第１無線デバイス（ＷＤ）２２ａは、対応するネットワークノード１６ｃに無線で接続する、或いは、ページングされる様に構成される。カバレッジエリア１８ｂの第２ＷＤ２２ｂは、対応するネットワークノード１６ａに無線で接続可能である。複数のＷＤ２２ａ、２２ｂ（称して無線デバイス２２として参照する）がこの例に示されているが、開示する実施形態は、単一ＷＤ２２がカバレッジエリアにある状況、又は、単一ＷＤ２２が対応する無線ネットワークノード１６に接続している状況に等しく適用可能である。便宜上、２つのＷＤ２２及び３つのネットワークノード１６のみが示されているが、通信システムは、より多くのＷＤ２２及びネットワークノード１６を含み得ることに留意されたい。
【００５３】
通信システム１０自体は、スタンドアロンサーバ、クラウド実装サーバ、分散サーバのハードウェア及び／又はソフトウェアにより、又は、サーバファームの処理リソースとして具現化され得るホストコンピュータ２４に接続され得る。ホストコンピュータ２４は、サービスプロバイダの所有権又は管理下にあり得るか、又はサービスプロバイダによって又はサービスプロバイダに代わって操作され得る。通信システム１０とホストコンピュータ２４との間の接続２６、２８は、コアネットワーク１４からホストコンピュータ２４まで直接延長してもよく、又はオプションの中間ネットワーク３０を介してもよい。中間ネットワーク３０は、パブリック、プライベート、又はホストされたネットワークのいずれか、或いは、それらの１つ以上の組み合わせであり得る。中間ネットワーク３０は、バックボーン又はインターネットであり得る。幾つかの実施形態において、中間ネットワーク３０は、２つ以上のサブネットワーク（図示せず）を含み得る。
【００５４】
図６の通信システムは、全体として、接続されたＷＤ２２ａ、２２ｂのうちの１つとホストコンピュータ２４との間の接続を可能にする。接続性は、オーバーザトップ（ＯＴＴ）接続として説明され得る。ホストコンピュータ２４及び接続されたＷＤ２２ａ、２２ｂは、アクセスネットワーク１２、コアネットワーク１４、任意の中間ネットワーク３０及び、仲介者である、可能なさらなるインフラストラクチャ（図示せず）を使用して、ＯＴＴ接続を介してデータ及び／又はシグナリングを通信する様に構成される。ＯＴＴ接続は、ＯＴＴ接続が通過する参加通信デバイスがアップリンク及びダウンリンク通信のルーティングを認識しないという意味で透過的であり得る。例えば、ネットワークノード１６は、接続されたＷＤ２２ａに転送される（例えば、引き渡される）ホストコンピュータ２４から発信されるデータとの着信ダウンリンク通信の過去のルーティングについて通知されないか、又は通知される必要はない。同様に、ネットワークノード１６は、ＷＤ２２ａからホストコンピュータ２４に向かう発信アップリンク通信の将来のルーティングを認識する必要はない。
【００５５】
ネットワークノード１６は、ランクネストされた方法及びランクネストされていない方法の内の１つにより少なくとも１つのポート表示を生成し、ランクネストされた方法及びランクネストされていない方法の内の１つによる少なくとも１つのポート表示をシグナリングする様に構成されたポート表示ジェネレータ３２を含む様に構成される。代替実施形態において、ネットワークノード１６は、チャネル状態情報（ＣＳＩ）フィードバックのための、ランクに関連付けられた少なくとも１つの所望のポートを示すシグナリングを受信し、受信されたシグナリングに少なくとも部分的に基づいて、少なくとも１つのポート表示を生成する様に構成され得るポート表示ジェネレータ３２を含む様に構成される。
【００５６】
無線デバイス２２は、ネットワークノードから、ランクネストされた方法及びランクネストされていない方法の内の１つでシグナリングされる少なくとも１つのポート表示を受信し、少なくとも１つのポート表示に基づいてチャネル状態情報（ＣＳＩ）フィードバックを生成する様に構成されたＣＳＩフィードバックジェネレータ３４を含む様に構成される。代替実施形態において、無線デバイス２２は、少なくとも１つの仮定サービングポートの信号対干渉及び雑音比（ＳＩＮＲ）を決定し、決定したＳＩＮＲに少なくとも部分的に基づいてチャネル状態情報（ＣＳＩ）フィードバックのための少なくとも１つの所望ポートの表示をシグナリングする様に構成されたＣＳＩフィードバックジェネレータ３４を含み、少なくとも１つの所望ポートはランク計算に関連付けられている。
【００５７】
一実施形態による、前述の段落で説明したＷＤ２２、ネットワークノード１６及びホストコンピュータ２４の例示的な実装を、図７を参照して説明する。通信システム１０において、ホストコンピュータ２４は、通信システム１０の異なる通信デバイスのインタフェースとの有線又は無線接続をセットアップ及び維持する様に構成された通信インタフェース４０を含むハードウェア（ＨＷ）３８を備える。ホストコンピュータ２４は、記憶及び／又は処理能力を有し得る処理回路４２をさらに備える。処理回路４２は、プロセッサ４４及びメモリ４６を含み得る。特に、従来のプロセッサ及びメモリに加えて、処理回路４２は、処理及び／又は制御のための集積回路、たとえば、命令を実行する様に適合された１つ以上のプロセッサ及び／又はプロセッサコア及び／又はＦＰＧＡ（フィールドプログラマブルゲートアレイ）及び／又はＡＳＩＣ（特定用途向け集積回路）を含み得る。処理回路４４は、メモリ４６にアクセス（たとえばそこに書き込む、及び／又は、そこから読み取る）する様に構成され、たとえばキャッシュ、及び／又は、バッファメモリ、及び／又は、ＲＡＭ（ランダムアクセスメモリ）、及び／又は、ＲＯＭ（読み取り専用メモリ）、及び／又は、光メモリ、及び／又は、ＥＰＲＯＭ（消去可能プログラマブル読み取り専用メモリ）といった、任意の種類の揮発性及び／又は不揮発性メモリを含み得る。
【００５８】
処理回路４２は、本明細書に記載の方法及び／又はプロセスのいずれかを制御し、及び／又は、そのような方法及び／又はプロセスを、たとえばホストコンピュータ２４によって実行させる様に構成され得る。プロセッサ４４は、本明細書で説明するホストコンピュータ２４の機能を実行するための１つ以上のプロセッサ４４に対応する。ホストコンピュータ２４は、データ、プログラムソフトウェアコード及び／又は本明細書に記載されている他の情報を格納する様に構成されたメモリ４６を含む。幾つかの実施形態において、ソフトウェア４８及び／又はホストアプリケーション５０は、プロセッサ４４及び／又は処理回路４２によって実行されると、プロセッサ４４及び／又は処理回路４２に、ホストコンピュータ２４に関連して本明細書で説明したプロセスを実行させる命令を含み得る。命令は、ホストコンピュータ２４に関連付けられたソフトウェアであり得る。
【００５９】
この様に、ホストコンピュータ２４は、たとえばホストコンピュータ２４のメモリ４６に格納されるか、又はホストコンピュータ２４によってアクセス可能な外部メモリ（たとえばデータベース）に格納されるソフトウェア（ＳＷ）４８をさらに含み得る。ソフトウェア４８は、処理回路４２により実行可能な命令を含み得る。ソフトウェア４８は、ホストアプリケーション５０を含む。ホストアプリケーション５０は、ＷＤ２２とホストコンピュータ２４で終端されるＯＴＴ接続５２を介して接続する、ＷＤ２２の様なリモート・ユーザにサービスを提供する様に動作可能であり得る。リモート・ユーザにサービスを提供する際、ホストアプリケーション５０は、ＯＴＴ接続５２を使用して送信されるユーザデータを提供し得る。一実施形態において、ホストコンピュータ２４は、サービスプロバイダに制御及び機能を提供する様に構成され、サービスプロバイダによって、又はサービスプロバイダに代わって運用され得る。ホストコンピュータ２４の処理回路４２は、サービスプロバイダがネットワークノード１６及び／又は無線デバイス２２の機能を監視し、そこからのデータを処理できる様に構成され得る。
【００６０】
通信システム１０は、通信システム１０に設けられ、ホストコンピュータ２４及びＷＤ２２と通信することを可能にするハードウェア５４を備えるネットワークノード１６をさらに含む。ハードウェア５４は、通信システム１０の異なる通信デバイスのインタフェースとの有線又は無線接続をセットアップ及び維持するための通信インタフェース５６と、少なくとも、無線ネットワークノード１６がサービスを提供するカバレッジエリア１８にあるＷＤ２２との無線接続６０をセットアップ及び維持するための無線インタフェース５８と、を含み得る。無線インタフェース５８は、例えば、１つ以上のＲＦ送信機、１つ以上のＲＦ受信機、及び／又は１つ以上のＲＦトランシーバとして形成され得る、或いは、それらを含み得る。通信インタフェース５６は、ホストコンピュータ２４への接続６１を促進する様に構成され得る。接続６１は直接であってもよいし、通信システム１０のコアネットワーク１４及び／又は通信システム１０の外部の１つ以上の中間ネットワーク３０を通過し得る。
【００６１】
図示する実施形態において、ネットワークノード１６のハードウェア５４は、処理回路６２をさらに含む。処理回路６２は、プロセッサ６４及びメモリ６６を含み得る。特に、従来のプロセッサ及びメモリに加えて、処理回路６２は、処理及び／又は制御のための集積回路、たとえば、命令を実行する様に適合された１つ以上のプロセッサ及び／又はプロセッサコア及び／又はＦＰＧＡ（フィールドプログラマブルゲートアレイ）及び／又はＡＳＩＣ（特定用途向け集積回路）を含み得る。処理回路６４は、メモリ６６にアクセス（たとえばそこに書き込む、及び／又は、そこから読み取る）する様に構成され、たとえばキャッシュ、及び／又は、バッファメモリ、及び／又は、ＲＡＭ（ランダムアクセスメモリ）、及び／又は、ＲＯＭ（読み取り専用メモリ）、及び／又は、光メモリ、及び／又は、ＥＰＲＯＭ（消去可能プログラマブル読み取り専用メモリ）といった、任意の種類の揮発性及び／又は不揮発性メモリを含み得る。
【００６２】
この様に、ネットワークノード１６はさらに、たとえばメモリ６６の内部に格納されるか、又は外部接続を介してネットワークノード１６によってアクセス可能な外部メモリ（たとえばデータベース）に格納されるソフトウェア６８を有する。ソフトウェア６８は、処理回路６２により実行可能な命令を含み得る。処理回路６２は、本明細書に記載の方法及び／又はプロセスのいずれかを制御し、及び／又は、そのような方法及び／又はプロセスを、たとえばネットワークノード１６によって実行させる様に構成され得る。プロセッサ６４は、本明細書で説明するネットワークノード１６の機能を実行するための１つ以上のプロセッサ６４に対応する。メモリ６６は、データ、プログラムソフトウェアコード及び／又は本明細書に記載されている他の情報を格納する様に構成される。幾つかの実施形態において、ソフトウェア６８は、プロセッサ６４及び／又は処理回路６２によって実行されると、プロセッサ６４及び／又は処理回路６２に、ネットワークノード１６に関連して本明細書で説明したプロセスを実行させる命令を含み得る。例えば、ネットワークノード１６の処理回路６２は、ポートインデクス表示を生成するポート表示ジェネレータ３２を含み得る。ポート表示ジェネレータ３２は、ランクネストされた方法及びランクネストされていない方法の内の１つで、少なくとも１つのポート表示を生成する様に構成され得る。無線インタフェース５８は、ランクネストされた方法及びランクネストされていない方法の内の１つで、少なくとも１つのポート表示をシグナリングする様に構成され得る。
【００６３】
幾つかの実施形態において、少なくとも１つのポート表示は、少なくとも１つのポートインデクス表示を含む。幾つかの実施形態において、無線インタフェース５８は、チャネル状態情報（ＣＳＩ）レポート設定構成において少なくとも１つのポート表示をシグナリングする様にさらに構成されることによって、少なくとも１つのポート表示をシグナリングする様に構成される。幾つかの実施形態において、少なくとも１つのポート表示は、少なくとも１つのチャネル状態情報参照信号（ＣＳＩ−ＲＳ）リソース内のどのポートを、非プリコーダ行列インジケータ（非ＰＭＩ）ＣＳＩフィードバックのランク仮定のためのチャネル品質を測定するために使用するかを示し、非ＰＭＩ  ＣＳＩフィードバックは、プリコーダ行列インジケータのないＣＳＩフィードバックである。幾つかの実施形態のランクネストされた方法において、少なくとも１つのポート表示は、ポートインデクスのリストを含み、リストの最初のポートインデクスがランク１のチャネル状態情報（ＣＳＩ）測定のためのポートを示し、リストの最初の２つのポートインデクスは、ランク２のＣＳＩ測定のためのポートを示し、リストの１つ以上の最初のｋ（ｋ＝１，２，・・・，８）個のポートインデクスは、ランクｋのＣＳＩ測定のための１つ以上のポートを示す。幾つかの実施形態のランクネストされていない方法において、少なくとも１つのポート表示は、それぞれが関連するランクのための複数のポート表示を含む。幾つかの実施形態において、ランクｋ（ｋ＝１，２，・・・，８）の少なくとも１つのポート表示は、ランクｋのＣＳＩ測定のためのｋ個のポートインデクスを含む。幾つかの実施形態において、少なくとも１つのポート表示は、無線デバイスにシグナリングされる。幾つかの実施形態において、少なくとも１つのポート表示は、少なくとも１つのポートインデクス表示を含み、少なくとも１つのポートインデクス表示は、少なくとも１つのチャネル状態情報参照信号（ＣＳＩ−ＲＳ）リソース内のポートインデクスを示す。幾つかの実施形態において、無線インタフェース５８は、無線デバイスから、非プリコーダ行列インジケータ（非ＰＭＩ）チャネル状態情報（ＣＳＩ）フィードバックを受信する様に構成され、非ＰＭＩ  ＣＳＩフィードバックは、ランクインジケータ（ＲＩ）と、少なくとも１つのチャネル品質インジケータ（ＣＱＩ）と、を含む。
【００６４】
代替実施形態においてネットワークノード１６は、無線インタフェース５８を介する等により、チャネル状態情報（ＣＳＩ）フィードバックのための、ランクに関連付けられる少なくとも１つの所望ポートを示すシグナリングを受信し、処理回路６２を介する等により、受信したシグナリングに少なくとも部分的に基づいて少なくとも１つのポート表示を生成する様に構成されたポート表示ジェネレータ３２を含み得る。
【００６５】
幾つかの実施形態において、少なくとも１つのポート表示は、少なくとも１つのポートインデクス表示を含む。幾つかの実施形態において、少なくとも１つの所望ポートを示すシグナリングは、テーブルに対応する。幾つかの実施形態において、少なくとも１つの所望ポートを示すシグナリングは、ＣＩＳフィードバックに対応する。
【００６６】
通信システム１０は、既に言及したＷＤ２２をさらに含む。ＷＤ２２は、ハードウェア７０を含み、ハードウェア７０は、ＷＤ２２が現在位置するカバレッジエリア１８にサービスを提供するネットワークノード１６との無線接続６０をセットアップ及び維持する様に構成された無線インタフェース７２を含み得る。無線インタフェース７２は、例えば、１つ以上のＲＦ送信機、１つ以上のＲＦ受信機、及び／又は１つ以上のＲＦトランシーバとして形成され得る、或いは、それらを含み得る。
【００６７】
ＷＤ２２のハードウェア７０は、処理回路７４をさらに含む。処理回路７４は、プロセッサ７６及びメモリ７８を含み得る。特に、従来のプロセッサ及びメモリに加えて、処理回路７４は、処理及び／又は制御のための集積回路、たとえば、命令を実行する様に適合された１つ以上のプロセッサ及び／又はプロセッサコア及び／又はＦＰＧＡ（フィールドプログラマブルゲートアレイ）及び／又はＡＳＩＣ（特定用途向け集積回路）を含み得る。処理回路７６は、メモリ７８にアクセス（たとえばそこに書き込む、及び／又は、そこから読み取る）する様に構成され、たとえばキャッシュ、及び／又は、バッファメモリ、及び／又は、ＲＡＭ（ランダムアクセスメモリ）、及び／又は、ＲＯＭ（読み取り専用メモリ）、及び／又は、光メモリ、及び／又は、ＥＰＲＯＭ（消去可能プログラマブル読み取り専用メモリ）といった、任意の種類の揮発性及び／又は不揮発性メモリを含み得る。
【００６８】
この様に、ＷＤ２２は、たとえばＷＤ２２のメモリ７８に格納されるか、ＷＤ２２によってアクセス可能な外部メモリ（たとえばデータベース）に格納されるソフトウェア８０をさらに含み得る。ソフトウェア８０は、処理回路７４により実行可能な命令を含み得る。ソフトウェア８０は、ホストアプリケーション８２を含む。クライアントアプリケーション８２は、ホストコンピュータ２４のサポートにより、ＷＤ２２を介して人間又は非人間のユーザにサービスを提供する様に動作可能であり得る。ホストコンピュータ２４において、実行中のホストアプリケーション５０は、ＷＤ２２及びホストコンピュータ２４で終端するＯＴＴ接続５２を介して実行中のクライアントアプリケーション８２と通信することができる。ユーザにサービスを提供する際、クライアントアプリケーション８２は、ホストアプリケーション５０からリクエストデータを受信し、リクエストデータに応答してユーザデータを提供してもよい。ＯＴＴ接続５２は、リクエストデータとユーザデータの両方を転送し得る。クライアントアプリケーション８２は、ユーザと対話して、提供するユーザデータを生成することができる。
【００６９】
処理回路７４は、本明細書に記載の方法及び／又はプロセスのいずれかを制御し、及び／又は、そのような方法及び／又はプロセスを、たとえばＷＤ２２によって実行させる様に構成され得る。プロセッサ７８は、本明細書で説明するＷＤ２２の機能を実行するための１つ以上のプロセッサ７６に対応する。ＷＤ２２は、データ、プログラムソフトウェアコード及び／又は本明細書に記載されている他の情報を格納する様に構成されたメモリ７８を含む。幾つかの実施形態において、ソフトウェア８０及び／又はクライアントアプリケーション８２は、プロセッサ７６及び／又は処理回路７４によって実行されると、プロセッサ７６及び／又は処理回路７４に、ＷＤ２２に関連して本明細書で説明したプロセスを実行させる命令を含み得る。たとえば、無線デバイス２２の処理回路７４は、ポートインデクス表示によって示されるポートに基づいてＣＳＩフィードバックを生成するＣＳＩフィードバックジェネレータ３４を実装する様に構成され得る。ＣＳＩフィードバックジェネレータ３４は、無線インタフェース７２を介する等により、ネットワークノード１６から少なくとも１つのポート表示を受信する様に構成され、少なくとも１つのポート表示は、ランクネストされた方法及びランクネストされていない方法の内の１つで受信される。ＣＳＩフィードバックジェネレータ３４は、少なくとも１つのポート表示に基づいてチャネル状態情報（ＣＳＩ）フィードバックを生成する様に構成され得る。
【００７０】
幾つかの実施形態において、少なくとも１つのポート表示は、少なくとも１つのポートインデクス表示を含む。幾つかの実施形態において、少なくとも１つのポート表示は、チャネル状態情報（ＣＳＩ）レポート設定構成に含まれる。幾つかの実施形態において、少なくとも１つのポート表示は、少なくとも１つのチャネル状態情報参照信号（ＣＳＩ−ＲＳ）リソース内のどのポートを、非プリコーダ行列インジケータ（非ＰＭＩ）ＣＳＩフィードバックのランク仮定のためのチャネル品質を測定するために使用するかを示し、非ＰＭＩ  ＣＳＩフィードバックは、プリコーダ行列インジケータのないＣＳＩフィードバックである。幾つかの実施形態のランクネストされた方法において、受信される少なくとも１つのポート表示は、ポートインデクスのリストを含み、リストの最初のポートインデクスがランク１のチャネル状態情報（ＣＳＩ）測定のためのポートを示し、リストの最初の２つのポートインデクスは、ランク２のＣＳＩ測定のためのポートを示し、リストの１つ以上の最初のｋ（ｋ＝１，２，・・・，８）個のポートインデクスは、ランクｋのＣＳＩ測定のための１つ以上のポートを示す。幾つかの実施形態のランクネストされていない方法において、受信された少なくとも１つのポート表示は、それぞれが関連するランクのための複数のポート表示を含む。幾つかの実施形態において、少なくとも１つのポート表示は複数のポート表示を含み、複数のポート表示の内のランクｋ（ｋ＝１，２，・・・，８）のためのポート表示は、ランクｋのＣＳＩ測定のためのｋ個のポートインデクスを含む。幾つかの実施形態において、少なくとも１つのポート表示は複数のポート表示を含み、複数のポート表示のそれぞれは１つのポートインデクス表示を含み、少なくとも１つのポートインデクス表示は、少なくとも１つのチャネル状態参照信号（ＣＳＩ−ＲＳ）リソースのポートインデクスを示す。幾つかの実施形態において、生成されたＣＳＩフィードバックは、非プリコーダ行列インジケータ（非ＰＭＩ）チャネル状態情報（ＣＳＩ）フィードバックを含み、非ＰＭＩ  ＣＳＩフィードバックは、ランクインジケータ（ＲＩ）と、少なくとも１つのチャネル品質インジケータ（ＣＱＩ）と、を含む。
【００７１】
代替実施形態において、ＷＤ２２は、少なくとも１つの仮定サービングポートの信号対干渉及び雑音比（ＳＩＮＲ）を決定し、決定されたＳＩＮＲに少なくとも部分的に基づいてチャネル状態情報（ＣＳＩ）フィードバックのための少なくとも１つの所望ポートの表示を、無線インタフェース７２を介する等により、シグナリングする様に構成されたＣＳＩフィードバックジェネレータ３４を含み、少なくとも１つの所望のポートはランク計算に関連付けられている。
【００７２】
幾つかの実施形態において、少なくとも１つのポート表示は、少なくとも１つのポートインデクス表示を含む。幾つかの実施形態において、少なくとも１つの所望ポートの表示は、テーブルに対応する。幾つかの実施形態において、少なくとも１つの所望ポートの表示は、ＣＳＩフィードバックにある。
【００７３】
幾つかの実施形態において、ネットワークノード１６、ＷＤ２２、及びホストコンピュータ２４の内部動作は、図７に示されるとおりであり、独立して、周囲のネットワークトポロジは図６に示す通りであり得る。
【００７４】
図７において、ＯＴＴ接続５２は、ネットワークノード１６を介したホストコンピュータ２４とＷＤ２２との間の通信を示すために抽象的に描かれ、中間デバイスやこれらのデバイスを介したメッセージの正確なルーティングは明示されていない。ネットワークインフラストラクチャは、ルーティングを決定してもよく、ルーティングは、ＷＤ２２又はホストコンピュータ２４を運用するサービスプロバイダ、又はその両方から隠す様に構成されてもよい。ＯＴＴ接続５２がアクティブである間、ネットワークインフラストラクチャは、ルーティングを動的に変更する決定をさらに行うことができる（たとえば、ネットワークの負荷分散の検討又は再構成に基づいて）。
【００７５】
ＷＤ２２とネットワークノード１６との間の無線接続６０は、本開示を通して説明される実施形態の教示に従う。１つ以上の様々な実施形態は、無線接続６０が最後のセグメントを形成するＯＴＴ接続５２を使用して、ＷＤ２２に提供されるＯＴＴサービスの性能を改善する。より正確には、これらの実施形態の幾つかの教示は、データレート、待ち時間、及び／又は電力消費を改善し、それにより、ユーザ待ち時間の短縮、ファイルサイズの制限の緩和、応答性の向上、バッテリ寿命の延長などの利点を提供し得る。
【００７６】
幾つかの実施形態において、測定手順が、データレート、遅延、及び１つ以上の実施形態が改善される他の要因を監視する目的で提供され得る。さらに、測定結果の変動に応じて、ホストコンピュータ２４とＷＤ２２との間のＯＴＴ接続５２を再構成するためのオプションのネットワーク機能があり得る。ＯＴＴ接続５２を再構成するための測定手順及び／又はネットワーク機能は、ホストコンピュータ２４のソフトウェア４８又はＷＤ２２のソフトウェア８０、又はその両方に実装され得る。実施形態において、センサ（図示せず）は、ＯＴＴ接続５２が通過する通信デバイス内に、又はそれに関連して配置され、センサは、上記で例示した監視量の値を提供するか、ソフトウェア４８、８０が監視量を計算又は推定できる他の物理量の値を提供することにより、測定手順に参加できる。ＯＴＴ接続５２の再構成には、メッセージ形式、再送信設定、優先ルーティングなどが含まれ、再構成はネットワークノード１６に影響を与えず、ネットワークノード１６にとって未知又は感知できない可能性がある。そのような手順及び機能は、当技術分野で知られ実践されている場合がある。特定の実施形態において、測定は、スループット、伝播時間、遅延などのホストコンピュータの２４測定を容易にする独自のＷＤ２２のシグナリングを含み得る。幾つかの実施形態において、測定は、ソフトウェア４８、８０が、ＯＴＴ接続５２を使用して、伝播時間、エラーなどを監視しながら、メッセージ、特に空又は"ダミー"メッセージを送信させる様に実装できる。
【００７７】
図８は、本明細書に記載の機能を実行するためにプロセッサによって実行可能なソフトウェアを含むソフトウェアモジュールによって少なくとも部分的に実装され得る代替のホストコンピュータ２４のブロック図である。ホストコンピュータ２４は、通信システム１０の異なる通信デバイスのインタフェースとの有線又は無線接続をセットアップ及び維持する様に構成された通信インタフェース８３を含む。メモリ８４は、データ、プログラムソフトウェアコード及び／又は本明細書に記載されている他の情報を格納する様に構成される。
【００７８】
図９は、本明細書に記載の機能を実行するためにプロセッサによって実行可能なソフトウェアを含むソフトウェアモジュールによって少なくとも部分的に実装され得る代替のネットワークノード１６のブロック図である。ネットワークノード１６は、ネットワークノード１６によってサービスされるカバレッジエリア１８に位置するＷＤ２２との少なくとも無線接続６０をセットアップ及び維持する様に構成された無線インタフェースモジュール８６を含む。ネットワークノード１６は、通信システム１０の異なる通信デバイスのインタフェースとの有線又は無線接続をセットアップ及び維持する様に構成された通信インタフェースモジュール８７を含む。通信インタフェースモジュール８７は、ホストコンピュータ２４への接続５２を促進する様に構成され得る。メモリモジュール８８は、データ、プログラムソフトウェアコード及び／又は本明細書に記載されている他の情報を格納する様に構成される。ポート表示生成モジュール８９は、ポートインデクス表示を生成する様に構成される。
【００７９】
図１０は、本明細書に記載の機能を実行するためにプロセッサによって実行可能なソフトウェアを含むソフトウェアモジュールによって少なくとも部分的に実装され得る代替の無線デバイス２２のブロック図である。ＷＤ２２は、ＷＤ２２が現在位置するカバレッジエリア１８にサービスを提供するネットワークノード１６との無線接続６０をセットアップ及び維持する様に構成された無線インタフェース９１を含む。メモリ９２は、データ、プログラムソフトウェアコード及び／又は本明細書に記載されている他の情報を格納する様に構成される。ＣＳＩフィードバック生成モジュール９３は、ポートインデクス表示によって示されるポートに基づいてＣＳＩ−ＲＳフィードバックを生成する様に構成される。
【００８０】
図１１は、一実施形態による、例えば図１及び図２の通信システムなどの通信システムで実施される例示的な方法を示すフローチャートである。通信システムは、図７を参照して説明したホストコンピュータ２４、ネットワークノード１６及びＷＤ２２を含み得る。この方法の第１ステップにおいて、ホストコンピュータ２４はユーザデータを提供する（ブロックＳ１００）。第１ステップのオプションサブステップにおいて、ホストコンピュータ２４は、例えば、ホストアプリケーション７４などのホストアプリケーションを実行することにより、ユーザデータを提供する（ブロックＳ１０２）。第２ステップにおいて、ホストコンピュータ２４は、ユーザデータをＷＤ２２に搬送する送信を開始する（ブロックＳ１０４）。オプションの第３ステップにおいて、ネットワークノード１６は、本開示を通して説明される実施形態の教示に従って、ホストコンピュータ２２が開始した送信で搬送されたユーザデータをＷＤ２２に送信する（ブロックＳ１０６）。オプションの第４ステップにおいて、ＷＤ２２は、ホストコンピュータ２４によって実行されるホストアプリケーション７４に関連する、例えばクライアントアプリケーション１１４などのクライアントアプリケーションを実行する（ブロックＳ１０８）。
【００８１】
図１２は、一実施形態による、例えば図６の通信システムなどの通信システムで実施される例示的な方法を示すフローチャートである。通信システムは、図１及び２を参照して説明したホストコンピュータ２４、ネットワークノード１６及びＷＤ２２を含み得る。この方法の第１ステップにおいて、ホストコンピュータ２４はユーザデータを提供する（ブロックＳ１１０）。オプションサブステップ（図示せず）において、ホストコンピュータ２４は、例えば、ホストアプリケーション７４などのホストアプリケーションを実行することにより、ユーザデータを提供する。第２ステップにおいて、ホストコンピュータ２４は、ユーザデータをＷＤ２２に搬送する送信を開始する（ブロックＳ１１２）。本開示を通して説明される実施形態の教示に従い、送信は、ネットワークノード１６を通過し得る。オプションの第３ステップにおいて、ＷＤ２２は、送信で搬送されたユーザデータを受信する（ブロックＳ１１４）。
【００８２】
図１３は、一実施形態による、例えば図６の通信システムなどの通信システムで実施される例示的な方法を示すフローチャートである。通信システムは、図６及び７を参照して説明したホストコンピュータ２４、ネットワークノード１６及びＷＤ２２を含み得る。この方法のオプションの第１ステップにおいて、ＷＤ２２はホストコンピュータ２４により提供された入力データを受信する（ブロックＳ１１６）。追加又は代替として、オプションの第２ステップにおいて、ＷＤ２２はユーザデータを提供する（ブロックＳ１２０）。第２ステップのオプションサブステップにおいて、ＷＤは、例えば、クライアントアプリケーション１１４などのクライアントアプリケーションを実行することにより、ユーザデータを提供する（ブロックＳ１１８）。第１ステップのさらなるオプションサブステップにおいて、ＷＤ２２は、ホストコンピュータ２４によって提供された受信入力データに応答してユーザデータを提供するクライアントアプリケーション１１４を実行する（ブロックＳ１２２）。ユーザデータを提供する際に、実行されたクライアントアプリケーション１１４は、ユーザから受け取ったユーザ入力をさらに考慮し得る。ユーザデータが提供された特定の方法に関係なく、ＷＤ２２は、オプションの第３サブステップにおいて、ホストコンピュータ２４へのユーザデータの送信を開始する（ブロックＳ１２４）。方法の第４ステップにおいて、ホストコンピュータ２４は、本開示を通して説明される実施形態の教示に従って、ＷＤ２２から送信されたユーザデータを受信する（ブロックＳ１２６）。
【００８３】
図１４は、一実施形態による、例えば図６の通信システムなどの通信システムで実施される例示的な方法を示すフローチャートである。通信システムは、図６及び７を参照して説明したホストコンピュータ２４、ネットワークノード１６及びＷＤ２２を含み得る。方法のオプションの第１ステップにおいて、本開示全体にわたって説明される実施形態の教示に従って、ネットワークノード１６はＷＤ２２からユーザデータを受信する（ブロックＳ１２８）。オプションの第２ステップにおいて、ネットワークノード１６は、受信したユーザデータのホストコンピュータ２４への送信を開始する（ブロックＳ１３０）。第３ステップにおいて、ホストコンピュータ２４は、ネットワークノード１６により開始された送信で搬送されるユーザデータを受信する（ブロックＳ１３２）。
【００８４】
図１５は、本開示の幾つかの実施形態による、ポートインデクス表示を生成及びシグナリングするためのネットワークノード１６における例示的なプロセスを示すフローチャートである。１つ以上のブロック及び／又は機能及び／又はネットワークノード１６によって実行される方法は、処理回路６２のポート表示ジェネレータ３２、プロセッサ６４、無線インタフェース５８等のネットワークノード１６の１つ以上の要素により実行され得る。例示的な方法によると、方法は、ランクネストされた方法及びランクネストされていない方法の内の１つでの少なくとも１つのポート表示を生成する（ブロックＳ１３４）ことと、ランクネストされた方法及びランクネストされていない方法の内の１つでの少なくとも１つのポート表示をシグナリングする（ブロックＳ１３６）ことと、を含む。
【００８５】
幾つかの実施形態において、少なくとも１つのポート表示は、少なくとも１つのポートインデクス表示を含む。幾つかの実施形態において、少なくとも１つのポート表示をシグナリングすることは、チャネル状態情報（ＣＳＩ）レポート設定構成において少なくとも１つのポート表示を、無線インタフェース５８を介する等により、シグナリングすることをさらに含む。幾つかの実施形態において、少なくとも１つのポート表示は、少なくとも１つのチャネル状態情報参照信号（ＣＳＩ−ＲＳ）リソース内のどのポートを、非プリコーダ行列インジケータ（非ＰＭＩ）ＣＳＩフィードバックのランク仮定のためのチャネル品質を測定するために使用するかを示し、非ＰＭＩ  ＣＳＩフィードバックは、プリコーダ行列インジケータのないＣＳＩフィードバックである。幾つかの実施形態のランクネストされた方法において、少なくとも１つのポート表示は、ポートインデクスのリストを含み、リストの最初のポートインデクスがランク１のチャネル状態情報（ＣＳＩ）測定のためのポートを示し、リストの最初の２つのポートインデクスは、ランク２のＣＳＩ測定のためのポートを示し、リストの１つ以上の最初のｋ（ｋ＝１，２，・・・，８）個のポートインデクスは、ランクｋのＣＳＩ測定のための１つ以上のポートを示す。幾つかの実施形態のランクネストされていない方法において、少なくとも１つのポート表示は、それぞれが関連するランクのための複数のポート表示を含む。幾つかの実施形態において、ランクｋ（ｋ＝１，２，・・・，８）の少なくとも１つのポート表示は、ランクｋのＣＳＩ測定のためのｋ個のポートインデクスを含む。幾つかの実施形態において、少なくとも１つのポート表示をシグナリングすることは、無線インタフェース５８を介する等により、無線デバイスに少なくとも１つのポート表示をシグナリングすることをさらに含む。幾つかの実施形態において、少なくとも１つのポート表示は、少なくとも１つのポートインデクス表示を含み、少なくとも１つのポートインデクス表示は、少なくとも１つのチャネル状態情報参照信号（ＣＳＩ−ＲＳ）リソース内のポートインデクスを示す。幾つかの実施形態において、方法は、無線デバイス２２から、非プリコーダ行列インジケータ（非ＰＭＩ）チャネル状態情報（ＣＳＩ）フィードバックを受信することをさらに含み、非ＰＭＩ  ＣＳＩフィードバックは、ランクインジケータ（ＲＩ）と、少なくとも１つのチャネル品質インジケータ（ＣＱＩ）と、を含む。
【００８６】
或いは、又は、追加して、このプロセスは、ポート表示ジェネレータ３２を介して、ポートインデクス表示を生成することを含む。プロセスはまた、無線インタフェース５８を介して、無線デバイスにポートインデクス表示をシグナリングすることを含む。シグナリングは、各ビットがチャネル状態情報参照信号（ＣＳＩ−ＲＳ）リソースの１つのポートに関連付けられているビットマップであって、ポートが、ポートに関連付けられているビットの値に基づいて選択されるビットマップ、開始ポートインデクス及びポート数をシグナリングし、ＣＳＩ−ＲＳリソース内の隣接ポートのみが選択される前記シグナリングし、ポートインデクスを同じコード分割多重（ＣＤＭ）グループに制限することのいずれか１つであり得る。
【００８７】
図１６は、本開示の幾つかの実施形態による、ポートインデクス表示を受信及び処理するための無線デバイス２２における例示的なプロセスを示すフローチャートである。１つ以上のブロック及び／又は機能及び／又はＷＤ２２によって実行される方法は、処理回路７４のＣＳＩフィードバックジェネレータ３４、プロセッサ７６、無線インタフェース７２等のＷＤ２２の１つ以上の要素により実行され得る。例示的な方法は、ネットワークノード１６から少なくとも１つのポート表示を、無線インタフェース７２を介する等により、受信する（ブロックＳ１３８）ことを含み、少なくとも１つのポート表示は、ランクネストされた方法及びランクネストされていない方法の内の１つで受信される。プロセスは、ＣＳＩフィードバックジェネレータ３４を介する等により、少なくとも１つのポート表示に基づきチャネル状態情報（ＣＳＩ）フィードバックを生成すること（ブロックＳ１４０）を含む。
【００８８】
幾つかの実施形態において、少なくとも１つのポート表示は、少なくとも１つのポートインデクス表示を含む。幾つかの実施形態において、少なくとも１つのポート表示を受信することは、チャネル状態情報（ＣＳＩ）レポート設定構成において少なくとも１つのポート表示を、無線インタフェース７２を介する等により、受信することをさらに含む。幾つかの実施形態において、少なくとも１つのポート表示は、少なくとも１つのチャネル状態情報参照信号（ＣＳＩ−ＲＳ）リソース内のどのポートを、非プリコーダ行列インジケータ（非ＰＭＩ）ＣＳＩフィードバックのランク仮定のためのチャネル品質を測定するために使用するかを示し、非ＰＭＩＣＳＩフィードバックは、プリコーダ行列インジケータの無いＣＳＩフィードバックである。幾つかの実施形態のランクネストされた方法において、受信された少なくとも１つのポート表示は、ポートインデクスのリストを含み、リストの最初のポートインデクスがランク１のチャネル状態情報（ＣＳＩ）測定のためのポートを示し、リストの最初の２つのポートインデクスは、ランク２のＣＳＩ測定のためのポートを示し、リストの１つ以上の最初のｋ（ｋ＝１，２，・・・，８）個のポートインデクスは、ランクｋのＣＳＩ測定のための１つ以上のポートを示す。幾つかの実施形態のランクネストされていない方法において、受信された少なくとも１つのポート表示は、それぞれが関連するランクのための複数のポート表示を含む。幾つかの実施形態において、少なくとも１つのポート表示は複数のポート表示を含み、複数のポート表示の内のランクｋ（ｋ＝１，２，・・・，８）のためのポート表示は、ランクｋのＣＳＩ測定のためのｋ個のポートインデクスを含む。幾つかの実施形態において、少なくとも１つのポート表示は複数のポート表示を含み、複数のポート表示のそれぞれは１つのポートインデクス表示を含み、少なくとも１つのポートインデクス表示は、少なくとも１つのチャネル状態参照信号（ＣＳＩ−ＲＳ）リソースのポートインデクスを示す。幾つかの実施形態において、ＣＳＩ−ＲＳフィードバックを生成することは、非プリコーダ行列インジケータ（非ＰＭＩ）チャネル状態情報（ＣＳＩ）フィードバックを、処理回路７４を介する等して、生成することを含み、非ＰＭＩ  ＣＳＩフィードバックは、ランクインジケータ（ＲＩ）と、少なくとも１つのチャネル品質インジケータ（ＣＱＩ）と、を含む。
【００８９】
或いは、又は、追加して、このプロセスは、無線インタフェース７２を介して、ネットワークノード１６からポートインデクス表示を受信することを含む。シグナリングは、各ビットがチャネル状態情報参照信号（ＣＳＩ−ＲＳ）リソースの１つのポートに関連付けられているビットマップであって、ポートが、ポートに関連付けられているビットの値に基づいて選択されるビットマップ、開始ポートインデクス及びポート数をシグナリングし、ＣＳＩ−ＲＳリソース内の隣接ポートのみが選択される前記シグナリングし、ポートインデクスを同じコード分割多重（ＣＤＭ）グループに制限することのいずれか１つであり得る。プロセスは、ＣＳＩフィードバックジェネレータ３４を介して、ポートインデクス表示によって示されるポートに基づいてＣＳＩ−ＲＳフィードバックを生成することも含む。
【００９０】
図１７は、本開示の幾つかの実施形態による、無線デバイスから受信したシグナリングに基づいてポートインデクス表示を生成するためのネットワークノード１６における更に別の例示的なプロセスのフローチャートを示している。１つ以上のブロック及び／又は機能及び／又はネットワークノード１６によって実行される方法は、処理回路６２のポート表示ジェネレータ３２、プロセッサ６４、無線インタフェース５８等の、ネットワークノード１６の１つ以上の要素によって実行され得る。更に別の例示的な方法によると、当該方法は、チャネル状態情報（ＣＳＩ）のための少なくとも１つの望ましいポートであって、ランクに関連付けられるポートを示すシグナリングを、無線インタフェースを介する等により受信する（ブロックＳ１４２）ことと、受信したシグナリングに少なくとも部分的に基づいて、ポート表示ジェネレータ３２を介する等により、少なくとも１つのポート表示を生成する（ブロックＳ１４４）ことと、を含む。
【００９１】
幾つかの実施形態において、少なくとも１つのポート表示は、少なくとも１つのポートインデクス表示を含む。幾つかの実施形態において、少なくとも１つの所望のポートを示すシグナリングは、テーブルに対応する。幾つかの実施形態において、少なくとも１つの所望のポートを示すシグナリングは、ＣＩＳフィードバック内にある。
【００９２】
代わりに、或いは、追加して、このプロセスは、無線インタフェース５８を介して、ＷＤ２２からのシグナリングを受信することを含み、このシグナリングは、ＣＳＩ−ＲＳフィードバックのためのＭ個の所望のポートを示す。プロセスはまた、ポート表示ジェネレータ３２を介して、受信されたシグナリングに基づいてポートインデクス表示を生成することを含む。
【００９３】
図１８は、本開示の幾つかの実施形態による、望ましいポートの表示をシグナリングするための無線デバイスにおける例示的なプロセスのフローチャートである。１つ以上のブロック及び／又は機能及び／又はＷＤ２２によって実行される方法は、処理回路７４のＣＳＩフィードバックジェネレータ３４、プロセッサ７６、無線インタフェース７２等の、ＷＤ２２の１つ以上の要素によって実行され得る。例示的な方法は、ＣＳＩフィードバックジェネレータ３４などを介して、少なくとも１つの仮定されたサービングポートの信号対干渉及び雑音比（ＳＩＮＲ）を決定する（ブロックＳ１４６）ことと、決定されたＳＩＮＲに少なくとも部分的に基づいてチャネル状態情報（ＣＳＩ）フィードバックのために望ましい少なくとも１つのポートの表示を、無線インタフェース７２を介する等により、シグナリング（ブロックＳ１４８）することと、を含み、望ましい少なくとも１つのポートは、ランク計算に関連する。
【００９４】
幾つかの実施形態において、少なくとも１つの所望ポートの表示は、テーブルに対応する。幾つかの実施形態において、少なくとも１つの所望のポートの表示は、ＣＩＳフィードバック内にある。
【００９５】
代わりに、或いは、追加して、プロセスは、処理回路７４を介して、異なる仮定サービングポートのＳＩＮＲを決定することを含む。プロセスはまた、無線インタフェース７２を介して、決定したＳＩＮＲに基づきＣＳＩ−ＲＳフィードバックのためのＭ個の所望のポートの表示をネットワークノード１６にシグナリングすることを含む。
【００９６】
ＣＳＩ−ＲＳリソース内のフレキシブル割り当てポートのためのＣＳＩ−ＲＳリソース内の任意のポートの組み合わせを選択するために使用できる方法の例示的な実施形態を一般的に説明したので、以下では、より詳細な説明、例、及び実施形態を提供する。
【００９７】
ポートインデクスｐｉ（ｉ＝０，１，・・・，Ｐ−１）のＰポートのＣＳＩ−ＲＳリソースの場合、Ｍ個の受信アンテナポートを備えたＷＤ２２は、ＣＳＩ−ＲＳリソースに基づく非ＰＭＩ  ＣＳＩフィードバックを実行する様に構成され得る。より一般的には、Ｍは、ＷＤ２２が報告できるレイヤの最大数とすることができ、あるいは、受信アンテナポートの数ではなく、ＷＤ２２が受信できるレイヤ数とすることができる。幾つかの実施形態において、一般的なステップは、以下の１つ以上を含み得る。
【００９８】
ステップ１：ＷＤ２２は、１つ以上のＣＳＩ−ＲＳリソース又はリソースセットでシグナリングされ、ポートインデクス表示も、各ＣＳＩ−ＲＳリソース又はリソースセットについてＷＤ２２にシグナリングされる。或いは、ポートインデクス表示はＣＳＩレポート設定構成に含まれ、ＷＤ２２にシグナリングされる。ポートインデクス表示は、ＣＳＩ−ＲＳリソースのどのポートを非ＰＭＩ  ＣＳＩフィードバックのランク及びＣＱＩ計算に使用するかに関する情報を提供する。シグナリングは、ＲＲＣシグナリングであり得る。
【００９９】
ステップ２：ネットワークノード１６は、ＣＳＩ−ＲＳリソース及び関連するポートインデクス表示に基づいて、非ＰＭＩ  ＣＳＩフィードバックを求める要求をＷＤ２２に送信する。
【０１００】
ステップ３：ＷＤ２２は、ポートインデクス表示に従って、ＣＳＩ−ＲＳリソース内の選択されたポートのＣＳＩを測定する。所与の選択されたポートについて、ＷＤ２２は、各ランク及びＣＳＩ推定のためのプリコーダ又はプリコーディング行列を想定し得る。ネットワークノード１６は、ＷＤ２２によって使用されるランクごとのプリコーダを知っているべきである。この目的のために、暗黙のルールが定義され得る。
【０１０１】
ステップ４：ＷＤ２２は、ランクインジケータ（ＲＩ）と、ＲＩの値に応じた１つ又は２つのＣＱＩをネットワークノード１６に報告する。たとえば、ＲＩ≦４の場合、１つのＣＱＩが報告され、ＲＩ＞４の場合、２つのＣＱＩが報告される。
【０１０２】
ステップ５：ネットワークノード１６は、報告されたランクＲＩ及びＣＱＩ、ならびに選択されたポートを介してＲＩ及びＣＱＩを導出する際にＷＤ２２によって使用されるプリコーディング行列を用いて、データをスケジュールし、ＷＤ２２に送信することができる。選択されたＮポートを、｛ｐｓ０，ｐｓ１，・・・，ｐｓ（Ｎ−１）｝で示し、ここで、ｓ０＜ｓ１＜・・・＜ｓ（Ｎ−１）、ｓｉ∈（０，１，・・・，Ｐ−１）、ｉ∈（０，１，・・・，Ｎ−１）とする。報告されたＲＩ＝ｋの場合、ネットワークノード１６で使用されるプリコーディング行列はｗｋ＝［ｅ（Ｎ）０，ｅ（Ｎ）１，・・・ｅ（Ｎ）ｋ−１］であり、ここで、ｅ（Ｎ）ｍは、ｌ＝ｍ（ｌ∈（０，１，・・・，Ｎ−１））であるｌ番目の要素が１に設定され、それ以外は０に設定される長さＮの列ベクトルである。ｅ（Ｎ）ｍのｌ番目の要素は、ポートｐｓｉに関連付けられる。ランクｋ送信においては、ポート｛ｐｓ０，ｐｓ１，・・・，ｐｓ（ｋ−１）｝が使用される。
【０１０３】
この開示の幾つかの例示的な実施形態を以下で論じる。
【０１０４】
実施形態１Ａ：ポートインデクス表示のためのビットマップベースのＲＲＣ構成は、ステップ１の実装で使用される。この実施形態において、ビットマップは、非ＰＭＩ  ＣＳＩフィードバックに使用されるＣＳＩ−ＲＳリソース内のＮ∈（１，２，ｍｉｎ（８，Ｐ））ポートを示すために使用される。ビットマップは、
ビットマップ＝｛ａ０，ａ１，・・・，ａＰ−１｝
で与えられる。
【０１０５】
ビットマップの各ビットは、ＣＳＩ−ＲＳリソースのポートに関連付けられる。例えば、ａｉ（ｉ＝０，１，２，・・・，Ｐ−１）は、ポートｐｉに関連付けられる。ａｉ＝１であると、ポートｐｉが選択され、ａｉ＝０であると選択されない。非ＰＭＩ−ＣＳＩフィードバックのために選択されるＣＳＩ−ＲＳリソース内でＮポートが示されているとき、ビットマップのＮビットが１に設定される。Ｐ〜０，Ｐ〜１，Ｐ〜Ｎ−１がＮ個の選択ポートである。
【０１０６】
この実施形態において、ランクネストプロパティは、ネットワークノード及びＷＤによって想定され、その結果、ポートＰ〜０は、ランク１仮定に想定され、ポートＰ〜０及びＰ〜１は、ランク２仮定として想定される。つまり、ランクＲ仮定のために、ＷＤ２２は、ポートＰ〜０，Ｐ〜１，・・・，Ｐ〜Ｒ−１が、ＣＳＩを導出するために使用されると想定する。同様に、ランクＲがＷＤ２２によってネットワークノードにレポートされるとき、ポートポートＰ〜０，Ｐ〜１，・・・，Ｐ〜Ｒ−１は、ネットワークノードによって、ＷＤにデータを送信するために使用される。ランクネストプロパティを利用することで、最大ランクに使用されるポートを示す単一のビットマップのみがシグナリングに必要となるので、ＲＲＣシグナリングオーバヘッドを削減することがでる一方、下位ランクに使用されるポートは暗黙的に導出され得る。
【０１０７】
ＷＤ２２が受信できるレイヤの最大数はＭであるので、Ｍ≦８≦Ｐの場合、最大でＭ個のポートが所望のレイヤに対応し、Ｎ−Ｍポートは干渉に対応する。同様に、仮定ランクＲがＭより小さい場合、Ｎ−Ｒレイヤは干渉である。この場合、どのレイヤが望ましいか、どのレイヤが干渉であるかを識別することが望ましい。一実施形態において、最初のＲ個のポートＰ〜０，Ｐ〜１，・・・，Ｐ〜Ｒ−１が所望のレイヤであり、残りのＮ−Ｒ個のポートＰ〜Ｒ，Ｐ〜Ｒ＋１，・・・，Ｐ〜Ｎが干渉である。幾つかの実施形態では、残りのＮ−Ｒ個のポートＰ〜Ｒ，Ｐ〜Ｒ＋１，・・・，Ｐ〜Ｎは、干渉測定リソース内に含まれるものとして識別される。
【０１０８】
Ｎポートを含むＣＳＩリソースが複数のＷＤ２２で共有されている場合、すべてのＷＤ２２に影響を与えずにポートをＣＳＩリソース内で並べ替えることは常にできないため、異なるＷＤ２２に異なる希望ポート及び干渉ポートを許可することが望まれ得る。よって、一実施形態において、Ｎ個の選択されたポートから所望のレイヤを運ぶＭ個の所望のポートを識別する長さＮの第２ビットマップが示される。
ビットマップ＝｛ａ´０，ａ´１，・・・，ａ´Ｎ−１｝
【０１０９】
ビットマップのＮビットには、Ｍ個の非０ビットがあり、ビットマップの最初の非０ビットは、最初の所望レイヤに対応し、２番目の非０ビットは所望レイヤに対応する。
【０１１０】
ＷＤ２２は一般に、ｇＮＢよりも良い、異なる仮定サービングポートの信号対干渉及び雑音比（ＳＩＮＲ）を決定できるため、ＷＤ２２が、Ｎ個のポートのどれがＭ個の所望ポートに対応するかを決定することが望ましい。そのような一実施形態において、ＷＤ２２はビットマップ｛ａ０，ａ１，・・・，ａＰ−１｝を使用するＮポートで構成され、ＷＤ２２は、後でビットマップ｛ａ´０，ａ´１，・・・，ａ´Ｎ−１｝をフィードバックして、どのレイヤが所望レイヤとして使用されるべきかをｇＮＢに示す。代替の実施形態において、ＷＤ２２は、Ｎ個のポートのうちのＭ個のすべての組み合わせを含むテーブルを介して、Ｍ個の所望のポートを示す。この代替実施形態において、ＷＤ２２は、テーブル内のエントリのインデクスをフィードバックし、各エントリは、Ｎ個のポートのうちのＭ個の１つの組み合わせに対応する。他の実施形態において、Ｍ個の所望のポートは、Ｎ個のポートから連続して選択され、開始インデクス０≦ｌ≦Ｎは、Ｍ個のアンテナポートの最初を示し、Ｍ個のアンテナポートは、Ｎ個の選択されたアンテナポートのリストで"折り返す"ことができる。これは、Ｎ個のアンテナポートのリストからアンテナポートＰ〜ｌ，Ｐ〜（ｌ+１）％Ｎ，・・・，Ｐ〜（ｌ＋Ｍ−１）％Ｎをさらに選択することとして表すことができ、ここで、ｘ％ｙは、ｘをｙで割った余りを表す。
【０１１１】
幾つかの実施形態において、ＣＳＩ−ＲＳリソースのＮポートサブセットからのＭ個の所望のポートのこの表示は、ＣＳＩフィードバックのＣＳＩ−ＲＳリソースインジケータ（"ＣＲＩ"）フィールドによって搬送される。
【０１１２】
実施形態１Ｂ：ポート表示のための独立ビットマップベースのＲＲＣ構成：ステップ１を実施する別の実施形態において、ランクネストされたプロパティは利用されず、別個のビットマップが各ランク仮説のポートサブセット選択を示すために使用される。たとえば、最初のビットマップＡ０＝ａ（０）０，ａ（０）１，・・・，ａ（０）Ｐ−１は、ＷＤ２２がランク１仮定（１つの非０ビットを含む）のＣＱＩ計算に使用するポートを示すために使用され、２番目のビットマップＡ０＝ａ（１）０，ａ（１）１，・・・，ａ（１）Ｐ−１は、ランク２仮定（２つの非０ビットを含む）のＣＱＩ計算に使用される２つのポートを示すため等に使用される。この実施形態において、各ランクに１つの複数のビットマップがＷＤ２２にシグナリングされる。このアプローチにより、ｇＮＢによって適用できるプリコーディングの柔軟性を高くすることができる。そのような柔軟性を導入する１つの動機は、特にある形式のヌルフォーミングが適用される場合、異なるランク仮定のプリコーダがランクネストされない可能性があることである。これは実際には、最小平均二乗誤差（ＭＭＳＥ）、ゼロ強制（ＺＦ）、最小信号対漏洩及び干渉比（ＳＬＮＲ）プリコーダの場合である。つまり、ランク１送信のプリコーダは、ランク２送信のプリコーダの最初の列と等しくない。したがって、対応するＣＳＩ−ＲＳポートはランク仮定間で共有できない。
【０１１３】
実施形態２Ａ：ポートインデクス表示は、ＣＳＩ−ＲＳリソースにおける開始ポートインデクス及びポート数を含む。この実施形態において、ポートインデクス表示は以下を含む。
・開始ポートインデクスｐｓ、ｓ∈（０，１，・・・，Ｐ−１）
・ポート数Ｎ∈（１，２，・・・，ｍｉｎ（８，Ｐ））
選択されたポートは｛ｐｓ，ｐｓ＋１，ｐ（ｓ＋Ｎ−１）ｍоｄ（Ｐ）｝、つまり、ｐｓから始まるＮ個の連続したポートである。
【０１１４】
Ｎはポートインデクス表示シグナリングで明示的に示されない場合があるが、報告されたＷＤ２２能力などからＷＤ２２によって暗黙的に導出され、及び／又は、別のＲＲＣパラメータから決定され得る。この実施形態においても、ランクネストされたプロパティがネットワークノード及びＷＤによって想定され、ポートｐ〜０はランク１仮定として想定され、ポートｐ〜０，ｐ〜１はラン２仮定として想定される。
【０１１５】
実施形態２Ｂ：ランクネストされていないプリコーディングのポートインデクス表示は、ＣＳＩ−ＲＳリソースにおける開始ポートインデクス及びポート数を含む。実施形態１Ａで行われた様に各ランクに対して独立したビットマップを使用することにより、ランクネストされたプリコーディング及びランクネストされていないプリコーディングと、それらの混合をサポートする際の完全な柔軟性が達成される。つまり、ランク仮定で共有されているポートとそうでないポートがある。この実施形態においては、各ランクに１つの複数のポートインデクス表示がＷＤにシグナリングされる。ランク全体で完全に重複しないポート割り当てのみをサポートする必要がある場合、そのような柔軟性は必要ない場合がある。したがって、一実施形態において、開始ポートインデクスｐｓ，ｓ∈（０，１，・・・，Ｐ−１）及び最大ランクＲが示される。事前定義されたルールによると、ランク１仮定のＣＱＩ計算に使用されるポートはｐｓであり、ランク２仮定に使用されるポートはｐｓ＋１及びｐｓ＋２であり、ランク３仮定に使用されるポートはｐｓ＋３、ｐｓ＋４及びｐｓ＋５であるという様に、異なるランク仮定のポートは、重複しない方法で続けて割り当てられる。
【０１１６】
実施形態３Ａ：同じＣＤＭグループ内のポートインデクス制限：ＮＲにおいては、コード分割多重化（ＣＤＭ）を使用して、ＣＳＩ−ＲＳポートのグループを多重化する。たとえば、ＣＳＩ−ＲＳリソースのポート｛０，１，２，３｝は、４つのリソース要素（ＲＥ）を共有する様にグループ化できる、つまり、各ＣＳＩ−ＲＳ信号は同じ４つのＲＥで送信され、異なる長さの４つの直交コード（ＯＣＣ）が４つのポートからのＣＳＩ−ＲＳ信号に適用され、その結果、４つのポートからの信号をＷＤ２２において分離できる。利点は、ＣＤＭ処理ゲインにより、ＣＳＩ−ＲＳ信号のそれぞれの、より良い信号対雑音比（ＳＮＲ）がＷＤ２２で達成され得る。図４の例においては、ＣＤＭ４での１６ポートのＣＳＩ−ＲＳリソースが示されている。ＣＳＩ−ＲＳリソースのポートが４つのグループにグループ化されている。異なるＣＤＭグループのポートが選択されている場合、たとえば、ポート｛０、４、８、１２｝が選択されている場合、ＷＤ２２は、選択されたポート｛０、４、８，１２｝の信号を取得するために、１６ＲＥの総てで受信された信号を処理する必要がある。
【０１１７】
同じＣＤＭグループ内のポートが選択される様にポート選択を制限することにより、ＷＤ２２は同じＣＤＭグループ内の受信信号のみを処理すれば良い。例えば、ポート｛０、１、２、３｝が選択された場合、ＷＤ２２は、図４のＣＤ４グループ１の４つのＲＥで受信された信号を処理するだけでよい。これは、実施形態２のＮの値に基づきｓの値を制限することにより行われ得る。例えば、Ｎ＝２の場合，ｓ＝２ｋ，ｋ∈（０，１，２，・・・，（Ｐ／２）−１）、つまり、ｓは、偶数に制限される。Ｎ∈（３，４）の場合、ｓ＝４ｋ，ｋ∈（０，１，２，・・・，（Ｐ／４）−１）であり、Ｎ∈（５，６，７，８）の場合、ｓ＝８ｋ，ｋ∈（０，１，２，・・・，（Ｐ／８）−１）である。実施形態１では、選択されたポートは、｛ａｓ，ａｓ＋１，・・・，ａｓ＋Ｎ−１｝に制限され得る。
【０１１８】
実施形態３Ｂ：同じＯＦＤＭシンボル内のポートインデクス制限：別の実施形態において、ポート選択は、同じＯＦＤＭシンボル内に制限される。ポート選択を同じＯＦＤＭシンボル内に制限することで、ＷＤ２２は１つのＯＦＤＭシンボル内のＮ個の選択されたポートからの信号を処理し、すぐにＣＱＩ計算を開始できる。Ｎ個の選択されたポートが複数のＯＦＤＭシンボル間で広がる場合、ＷＤ２２は、ＣＱＩ計算を開始する前に、複数のＯＦＤＭシンボルを受信するまで待たなければならない。したがって、この実施形態には、ＷＤ２２が、Ｎ個の選択されたポートが複数のＯＦＤＭシンボル間で拡散される場合と比較して、ＣＱＩをより速く計算できるという利点がある。この実施形態を達成する１つの方法は、ＣＳＩ−ＲＳリソースがＰ＝２、４、８又は１２ポートを含む場合に可能である１つのＯＦＤＭシンボル内にある様にＰポートを構成することによる（表１参照）ことに留意されたい。
【０１１９】
実施形態４Ａ：選択したポートのプリコーダ決定：この実施形態において、選択されたＮ個のポートを｛ｐｓ０，ｐｓ１，・・・，ｐｓ（Ｎ−１）｝で示し、ここで、ｓ０＜ｓ１＜・・・＜ｓＮ−１であり、ｓｉ∈（０，１，・・・，Ｐ−１）、ｉ∈（０，１，・・・，Ｎ−１）である。この実施形態において、ランクｋ∈（１，２，・・・，Ｎ）のために、ＷＤ２２は、ＣＱＩを計算するためのＮ個のポートにわたるＷｋ＝［ｅ（Ｎ）０，ｅ（Ｎ）１，・・・，ｅ（Ｎ）ｋ−１］のプリコーディング行列を想定すべきであり、ここで、ｅ（Ｎ）ｍは、ｌ＝ｍ（ｌ∈（０，１，・・・，Ｎ−１））であるｌ番目の要素が１に設定され、その他が０に設定された長さＮの列ベクトルである。ｅ（Ｎ）ｍのｌ番目の要素は、ポートｐｓｉに関連付けられている。したがって、実施形態１Ａで説明した様に、単一のビットマップのポートインデクス表示は、ランク１送信のためのポートｐｓ０であり、一般的にランクｋ送信のためにポート｛ｐｓ０，ｐｓ１，・・・，ｐｓｋ−１｝が使用される。
【０１２０】
実施形態５：複数のＣＳＩ−ＲＳリソースに対するポートインデクス表示：非ＰＭＩフィードバック目的で、２つ以上のＣＳＩ−ＲＳリソースがＷＤ２２に対して構成される場合、各ＣＳＩ−ＲＳリソースに対して個別のポートインデクス表示が構成され得る。ＣＳＩ−ＲＳリソースは、動的に、ＷＤ２２に対して示され得る。
【０１２１】
この様に、本明細書で説明される幾つかの方法は、所与のＣＳＩ−ＲＳリソースの任意のポートの組み合わせを選択するために使用され、本明細書で説明される幾つかの方法は、より単純なＷＤ２２実装を可能にする。
【０１２２】
幾つかの追加の実施形態は、以下の１つ以上を含み得る。
【０１２３】
実施形態Ａ１
無線デバイス（ＷＤ）と通信する様に構成されたネットワークノードであって、ネットワークノードは、無線インタフェース及び処理回路を備え、
処理回路は、
ポートインデクス表示を生成し、
以下の１つを介して無線デバイスにポートインデクス表示をシグナリングする様に構成されている。
各ビットがチャネル状態情報参照信号（ＣＳＩ−ＲＳ）リソースの１つのポートに関連付けられ、ポートに関連付けられているビットの値に基づいてポートが選択されるビットマップ。
開始ポートインデクス及びポート数をシグナリングし、ＣＳＩ−ＲＳリソース内の隣接ポートのみが選択されていること。
同じコード分割多重（ＣＤＭ）グループにある様にポートインデクスを制限すること。
【０１２４】
実施形態Ａ２
実施形態Ａ１のネットワークノードであって、
ポートインデクス表示は、ＣＳＩレポート設定構成に含まれる。
【０１２５】
実施形態Ａ３
実施形態Ａ１及びＡ２のいずれかのネットワークノードであって、
ポートインデクス表示は、ＣＳＩ−ＲＳリソース内のどのポートを、非プリコーダ行列インジケータ（非ＰＭＩ）ＣＳＩフィードバックのためのランク及びチャネル品質インデクス（ＣＱＩ）の計算に使用するかに関する情報を提供する。
【０１２６】
実施形態Ａ４
実施形態Ａ１からＡ３のいずれか１つのネットワークノードであって、
ポートインデクス表示によって示されるポートは、最大ランクに使用されるポートを示すビットマップのみがシグナリングされる様に、ネットワークノードによってランクごとにランクネストされていると想定される。
【０１２７】
実施形態Ａ５
実施形態Ａ１からＡ４のいずれか１つのネットワークノードであって、
ポートインデクス表示は、どのポートが必要で、どのポートが干渉であるかをさらに特定する。
【０１２８】
実施形態Ａ６
実施形態Ａ１からＡ５のいずれか１つのネットワークノードであって、
Ｎ個の選択されたポートのうちＭ個の所望のポートを示す第２ビットマップをシグナリングすることをさらに含み、第２ビットマップの第１非ゼロビットは第１所望ポートを示す。
【０１２９】
実施形態Ａ７
実施形態Ａ６のネットワークノードであって、
Ｍ個の所望のポートは、無線デバイスからのシグナリングに基づいてネットワークノードで知られている。
【０１３０】
実施形態Ａ８
実施形態Ａ１のネットワークノードであって、
第１ビットマップは、無線デバイスが、第１ランク（この開示ではランク１とも呼ばれる。）仮定のためのチャネル品質インデクス（ＣＱＩ）計算に使用するポートを示すために使用され、第２ビットマップは、第２ランク（この開示ではランク２とも呼ばれる。）仮定のためのＣＱＩ計算に使用するポートを示すために使用される。
【０１３１】
実施形態Ａ９
実施形態Ａ１のネットワークノードであって、ポート選択は、同じＯＦＤＭシンボル内に制限される。
【０１３２】
実施形態Ｂ１
ホストコンピュータを含む通信システムであって、
ユーザデータを提供する様に構成された処理回路と、
無線デバイス（ＷＤ）への送信のため、ユーザデータをセルラネットワークに転送する様に構成された通信インタフェースと、を備え、
セルラネットワークは、無線インタフェースと処理回路を備えたネットワークノードを含み、
ネットワークノードの処理回路は、
ポートインデクス表示を生成し、
以下の１つを介して無線デバイスにポートインデクス表示をシグナリングする様に構成されている。
各ビットがチャネル状態情報参照信号（ＣＳＩ−ＲＳ）リソースの１つのポートに関連付けられ、ポートに関連付けられているビットの値に基づいてポートが選択されるビットマップ。
開始ポートインデクス及びポート数をシグナリングし、ＣＳＩ−ＲＳリソース内の隣接ポートのみが選択されること。
同じコード分割多重（ＣＤＭ）グループにある様にポートインデクスを制限すること。
【０１３３】
実施形態Ｂ２
実施形態Ｂ１の通信システムであって、
ネットワークノードを更に備えている。
【０１３４】
実施形態Ｂ３
実施形態Ｂ２の通信システムであって、
ＷＤをさらに備え、ＷＤは、ネットワークノードと通信する様に構成される。
【０１３５】
実施形態Ｂ４
実施形態Ｂ３の通信システムであって、
ホストコンピュータの処理回路は、ホストアプリケーションを実行する様に構成され、それによりユーザデータを提供し、
ＷＤは、ホストアプリケーションに関連付けられたクライアントアプリケーションを実行する様に構成された処理回路を有する。
【０１３６】
実施形態Ｃ１
ネットワークノードで実行される方法であって、
ポートインデクス表示を生成することと、
以下の１つを介して無線デバイスにポートインデクス表示をシグナリングすることと、を含む。
各ビットがチャネル状態情報参照信号（ＣＳＩ−ＲＳ）リソースの１つのポートに関連付けられ、ポートに関連付けられているビットの値に基づいてポートが選択されるビットマップ。
開始ポートインデクス及びポート数をシグナリングし、ＣＳＩ−ＲＳリソース内の隣接ポートのみが選択されること。
同じコード分割多重（ＣＤＭ）グループにある様にポートインデクスを制限すること。
【０１３７】
実施形態Ｃ２
実施形態Ｃ１の方法であって、
前記ポートインデクス表示は、ＣＳＩレポート設定構成に含まれる。
【０１３８】
実施形態Ｃ３
実施形態Ｃ１又はＣ２の方法であって、
ポートインデクス表示は、ＣＳＩ−ＲＳリソース内のどのポートを、非プリコーダ行列インジケータ（非ＰＭＩ）ＣＳＩフィードバックのためのランク及びチャネル品質インデクス（ＣＱＩ）の計算に使用するかに関する情報を提供する。
【０１３９】
実施形態Ｃ４
実施形態Ｃ１からＣ３のいずれか１つの方法であって、
ポートインデクス表示によって示されるポートは、最大ランクに使用されるポートを示すビットマップのみがシグナリングされる様に、ネットワークノードによってランクごとにランクネストされていると想定される。
【０１４０】
実施形態Ｃ５
実施形態Ｃ１からＣ４のいずれか１つの方法であって、
ポートインデクス表示は、どのポートが必要で、どのポートが干渉であるをさらに特定する。
【０１４１】
実施形態Ｃ６
実施形態Ｃ１からＣ５のいずれか１つの方法であって、
Ｎ個の選択されたポートのうちのＭ個の所望のポートを示す第２ビットマップをシグナリングすることをさらに含み、第２ビットマップの第１非ゼロビットは第１所望ポートを示す。
【０１４２】
実施形態Ｃ７
実施形態Ｃ６の方法であって、
Ｍ個の所望のポートは、無線デバイスからのシグナリングに基づいてネットワークノードで知られている。
【０１４３】
実施形態Ｃ８
実施形態Ｃ１の方法であって、
第１ビットマップは、無線デバイスが、ランク１仮定のためのチャネル品質インデクス（ＣＱＩ）計算に使用するポートを示すために使用され、第２ビットマップは、ランク２仮定のためのＣＱＩ計算に使用するポートを示すために使用される。
【０１４４】
実施形態Ｃ９
実施形態Ｃ１の方法であって、
ポート選択は、同じＯＦＤＭシンボル内に制限される。
【０１４５】
実施形態Ｄ１
ホストコンピュータ、ネットワークノード及び無線デバイス（ＷＤ）を含む通信システムで実行される方法であって、
ホストコンピュータがユーザデータを提供することと、
ホストコンピュータが、ネットワークノードを含むセルラネットワークを介してＷＤにユーザデータを搬送する送信を開始することと、を含み、
ネットワークノードは、
ポートインデクス表示を生成し、
以下の１つを介して無線デバイスにポートインデクス表示をシグナリングすることと、を含む。
各ビットがチャネル状態情報参照信号（ＣＳＩ−ＲＳ）リソースの１つのポートに関連付けられ、ポートに関連付けられているビットの値に基づいてポートが選択されるビットマップ。
開始ポートインデクス及びポート数をシグナリングし、ＣＳＩ−ＲＳリソース内の隣接ポートのみが選択されること。
同じコード分割多重（ＣＤＭ）グループにある様にポートインデクスを制限すること。
【０１４６】
実施形態Ｄ２
実施形態Ｄ１の方法であって、
ネットワークノードがユーザデータを送信することをさらに含む。
【０１４７】
実施形態Ｄ３
実施形態Ｄ２の方法であって、
ユーザデータは、ホストアプリケーションを実行することによってホストコンピュータで提供され、方法は、ＷＤが、ホストアプリケーションに関連付けられたクライアントアプリケーションを実行することをさらに含む。
【０１４８】
実施形態Ｅ１
ネットワークノードと通信する様に構成された無線デバイス（ＷＤ）であって、
ＷＤは、無線インタフェース及び処理回路を備え、
処理回路は、
ネットワークノードから、ポートインデクス表示を受信し、ポートインデクス表示により示されるポートに基づくＣＳＩ−ＲＳフィードバックを生成する様に構成され、ポートインデクス表示は、以下の１つである。
各ビットがチャネル状態情報参照信号（ＣＳＩ−ＲＳ）リソースの１つのポートに関連付けられ、ポートに関連付けられているビットの値に基づいてポートが選択されるビットマップ。
開始ポートインデクス及びポート数であって、ＣＳＩ−ＲＳリソース内の隣接ポートのみが選択される。
同じコード分割多重（ＣＤＭ）グループにある様に制限されたポートインデクス。
【０１４９】
実施形態Ｅ２
実施形態Ｅ１の無線デバイスであって、
ポートインデクス表示は、ＣＳＩレポート設定構成に含まれる。
【０１５０】
実施形態Ｅ３
実施形態Ｅ１又はＥ２の無線デバイスであって、
ポートインデクス表示は、ＣＳＩ−ＲＳリソース内のどのポートを、非プリコーダ行列インジケータ（非ＰＭＩ）ＣＳＩフィードバックのためのランク及びチャネル品質インデクス（ＣＱＩ）の計算に使用するかに関する情報を提供する。
【０１５１】
実施形態Ｅ４
実施形態Ｅ１からＥ３のいずれか１つの無線デバイスであって、
ポートインデクス表示によって示されるポートは、最大ランクに使用されるポートを示すビットマップのみがシグナリングされる様に、ネットワークノードによってランクごとにランクネストされていると想定される。
【０１５２】
実施形態Ｅ５
実施形態Ｅ１からＥ４のいずれか１つの無線デバイスであって、
ポートインデクス表示は、どのポートが必要で、どのポートが干渉であるかをさらに特定する。
【０１５３】
実施形態Ｅ６
実施形態Ｅ１からＥ５のいずれか１つの無線デバイスであって、
Ｎ個の選択されたポートのうちのＭ個の所望のポートを示す第２ビットマップを受信することをさらに含み、第２ビットマップの第１非ゼロビットは第１所望ポートを示す。
【０１５４】
実施形態Ｅ７
実施形態Ｅ６の無線デバイスであって、
Ｍ個の所望のポートは、無線デバイスからのシグナリングに基づいてネットワークノードで知られている。
【０１５５】
実施形態Ｅ８
実施形態Ｅ１の無線デバイスであって、
第１ビットマップは、無線デバイスが、ランク１仮定のためのチャネル品質インデクス（ＣＱＩ）計算に使用するポートを示すために使用され、第２ビットマップは、ランク２仮定のためのＣＱＩ計算に使用するポートを示すために使用される。
【０１５６】
実施形態Ｆ１
ホストコンピュータを含む通信システムであって、
ユーザデータを提供する様に構成された処理回路と、
無線デバイス（ＷＤ）への送信のため、ユーザデータをセルラネットワークに転送する様に構成された通信インタフェースと、を備え、
ＷＤは、無線インタフェースと処理回路を有し、
ＷＤの処理回路は、
ネットワークノードから、ポートインデクス表示を受信し、ポートインデクス表示により示されるポートに基づくＣＳＩ−ＲＳフィードバックを生成する様に構成され、ポートインデクス表示は、以下の１つである。
各ビットがチャネル状態情報参照信号（ＣＳＩ−ＲＳ）リソースの１つのポートに関連付けられ、ポートに関連付けられているビットの値に基づいてポートが選択されるビットマップ。
開始ポートインデクス及びポート数であって、ＣＳＩ−ＲＳリソース内の隣接ポートのみが選択される。
同じコード分割多重（ＣＤＭ）グループにある様に制限されたポートインデクス。
【０１５７】
実施形態Ｆ２
実施形態Ｆ１の通信システムであって、
ＷＤを更に含む。
【０１５８】
実施形態Ｆ３
実施形態Ｆ２の通信システムであって、
セルラネットワークは、ＷＤと通信する様に構成されたネットワークノードをさらに含む。
【０１５９】
実施形態Ｆ４
実施形態Ｆ２又はＦ３の通信システムであって、
ホストコンピュータの処理回路は、ホストアプリケーションを実行する様に構成され、それによりユーザデータを提供し、
ＷＤの処理回路は、ホストアプリケーションに関連付けられたクライアントアプリケーションを実行する様に構成される。 
【０１６０】
実施形態Ｇ１
無線デバイス（ＷＤ）で実行される方法であって、
ネットワークノードから、ポートインデクス表示を受信することと、ポートインデクス表示により示されるポートに基づくＣＳＩ−ＲＳフィードバックを生成することと、を含み、ポートインデクス表示は以下の１つである。
各ビットがチャネル状態情報参照信号（ＣＳＩ−ＲＳ）リソースの１つのポートに関連付けられ、ポートに関連付けられているビットの値に基づいてポートが選択されるビットマップ。
開始ポートインデクス及びポート数であって、ＣＳＩ−ＲＳリソース内の隣接ポートのみが選択される。
同じコード分割多重（ＣＤＭ）グループにある様に制限されたポートインデクス。
【０１６１】
実施形態Ｇ２
実施形態Ｇ１の方法であって、
前記ポートインデクス表示は、ＣＳＩレポート設定構成に含まれる。
【０１６２】
実施形態Ｇ３
実施形態Ｇ１又はＧ２の方法であって、
ポートインデクス表示は、ＣＳＩ−ＲＳリソース内のどのポートを、非プリコーダ行列インジケータ（非ＰＭＩ）ＣＳＩフィードバックのためのランク及びチャネル品質インデクス（ＣＱＩ）の計算に使用するかに関する情報を提供する。
【０１６３】
実施形態Ｇ４
実施形態Ｇ１からＧ３のいずれか１つの方法であって、
ポートインデクス表示によって示されるポートは、最大ランクに使用されるポートを示すビットマップのみがシグナリングされる様に、ネットワークノードによってランクごとにランクネストされていると想定される。
【０１６４】
実施形態Ｇ５
実施形態Ｇ１からＧ４のいずれか１つの方法であって、
ポートインデクス表示は、どのポートが必要で、どのポートが干渉であるかをさらに特定する。
【０１６５】
実施形態Ｇ６
実施形態Ｇ１からＧ５のいずれか１つの方法であって、
Ｎ個の選択されたポートのうちのＭ個の所望のポートを示す第２ビットマップを受信することをさらに含み、第２ビットマップの第１非ゼロビットは第１所望ポートを示す。
【０１６６】
実施形態Ｇ７
実施形態Ｇ６の方法であって、
Ｍ個の所望のポートは、無線デバイスからのシグナリングに基づいてネットワークノードで知られている。
【０１６７】
実施形態Ｇ８
実施形態Ｇ１の方法であって、
第１ビットマップは、無線デバイスが、ランク１仮定のためのチャネル品質インデクス（ＣＱＩ）計算に使用するポートを示すために使用され、第２ビットマップは、ランク２仮定のためのＣＱＩ計算に使用するポートを示すために使用される。
【０１６８】
実施形態Ｈ１
ホストコンピュータ、ネットワークノード及び無線デバイス（ＷＤ）を含む通信システムで実行される方法であって、
ホストコンピュータがユーザデータを提供することと、
ホストコンピュータが、ネットワークノードを含むセルラネットワークを介してＷＤにユーザデータを搬送する送信を開始することと、を含み、
ＷＤは、ネットワークノードからポートインデクス表示を受信し、ポートインデクス表示により示されるポートに基づくＣＳＩ−ＲＳフィードバックを生成し、ポートインデクス表示は以下の１つである。
各ビットがチャネル状態情報参照信号（ＣＳＩ−ＲＳ）リソースの１つのポートに関連付けられ、ポートに関連付けられているビットの値に基づいてポートが選択されるビットマップ。
開始ポートインデクス及びポート数であって、ＣＳＩ−ＲＳリソース内の隣接ポートのみが選択される。
同じコード分割多重（ＣＤＭ）グループにある様に制限されたポートインデクス。
【０１６９】
実施形態Ｈ２
実施形態Ｈ１の方法であって、
ＷＤがネットワークノードからユーザデータを受信することをさらに含む。
【０１７０】
実施形態Ｉ１
ネットワークノードと通信する様に構成された無線デバイス（ＷＤ）であって、
ＷＤは、無線インタフェース及び処理回路を備え、
処理回路は、
異なる仮定サービングポートの信号対干渉及び雑音比（ＳＩＮＲ）を決定し、
決定したＳＩＮＲに基づいて、チャネル状態情報参照信号（ＣＳＩ−ＲＳ）フィードバックのためのＭ個の所望のポートの表示をネットワークノードにシグナリングする様に構成される。
【０１７１】
実施形態Ｉ２
実施形態Ｉ１の無線デバイスであって、
Ｍ個の所望のポートの表示は、ビットマップによる。
【０１７２】
実施形態Ｉ３
実施形態Ｉ１の無線デバイスであって、Ｍ個の所望のポートの表示は、テーブルによる。
【０１７３】
実施形態Ｉ４
実施形態Ｉ１の無線デバイスであって、
Ｍ個の所望のポートの表示は、ＣＳＩフィードバックのＣＳＩ−ＲＳリソースインジケータにより搬送される。
【０１７４】
実施形態Ｊ１
ホストコンピュータを含む通信システムであって、
無線デバイス（ＷＤ）からネットワークノードへの送信により生じるユーザデータを受信する様に構成された通信インタフェースを備え、
ＷＤは、無線インタフェースと処理回路を有し、
ＷＤの処理回路は、
異なる仮定サービングポートの信号対干渉及び雑音比（ＳＩＮＲ）を決定し、
チャネル状態情報参照信号（ＣＳＩ−ＲＳ）フィードバックのためのＭ個の所望のポートの表示をネットワークノードにシグナリングする様に構成される。
【０１７５】
実施形態Ｊ２
実施形態Ｊ１の通信システムであって、
無線デバイス（ＷＤ）を更に含む。
【０１７６】
実施形態Ｊ３
実施形態Ｊ２の通信システムであって、
ネットワークノードをさらに含み、ネットワークノードは、ＷＤと通信する様に構成された無線インタフェースと、ＷＤからネットワークノードへの送信によって搬送されるユーザデータをホストコンピュータに転送する様に構成された通信インタフェースとを備える。
【０１７７】
実施形態Ｊ４
実施形態Ｊ２又はＪ３の通信システムであって、
ホストコンピュータの処理回路は、ホストアプリケーションを実行する様に構成され、
ＷＤの処理回路は、ホストアプリケーションに関連付けられたクライアントアプリケーションを実行する様に構成され、それによりユーザデータを提供する。
【０１７８】
実施形態Ｊ５
実施形態Ｊ２又はＪ３の通信システムであって、
ホストコンピュータの処理回路は、ホストアプリケーションを実行する様に構成され、それにより要求データを提供し、
ＷＤの処理回路は、ホストアプリケーションに関連付けられたクライアントアプリケーションを実行する様に構成され、それにより要求データに応答してユーザデータを提供する。
【０１７９】
実施形態Ｋ１
無線デバイス（ＷＤ）で実行される方法であって、
異なる仮定サービングポートの信号対干渉及び雑音比（ＳＩＮＲ）を決定することと、
決定したＳＩＮＲに基づいて、チャネル状態情報参照信号（ＣＳＩ−ＲＳ）フィードバックのためのＭ個の所望のポートの表示をネットワークノードにシグナリングすることと、を含む。
【０１８０】
実施形態Ｋ２
実施形態Ｋ１の方法であって、
Ｍ個の所望のポートの表示は、ビットマップによる。
【０１８１】
実施形態Ｋ３
実施形態Ｋ１の方法であって、
Ｍ個の所望のポートの表示は、テーブルによる。
【０１８２】
実施形態Ｋ４
実施形態Ｋ１の方法であって、
Ｍ個の所望のポートの表示は、ＣＳＩフィードバックのＣＳＩ−ＲＳリソースインジケータにより搬送される。
【０１８３】
実施形態Ｋ５
実施形態Ｋ１の方法であって、さらに、
ユーザデータを提供することと、
ユーザデータを、ネットワークノードへの送信を介してホストコンピュータに転送することと、を含む。
【０１８４】
実施形態Ｌ１
ホストコンピュータ、ネットワークノード及び無線デバイス（ＷＤ）を含む通信システムで実行される方法であって、
ホストコンピュータが、ＷＤからネットワークノードに送信されるユーザデータを受信することを含み、
ＷＤは、
異なる仮定サービングポートの信号対干渉及び雑音比（ＳＩＮＲ）を決定し、
決定したＳＩＮＲに基づいて、チャネル状態情報参照信号（ＣＳＩ−ＲＳ）フィードバックのためのＭ個の所望のポートの表示をネットワークノードにシグナリングする様に構成される。
【０１８５】
実施形態Ｌ２
実施形態Ｌ１の方法であって、さらに、
ＷＤが、ユーザデータをネットワークノードに提供することを含む。
【０１８６】
実施形態Ｌ３
実施形態Ｌ２の方法であって、さらに、
ＷＤが、クライアントアプリケーションを実行し、それにより、送信されるユーザデータを提供することと、
ホストコンピュータが、クライアントアプリケーションに関連付けられたホストアプリケーションを実行することと、を含む。
【０１８７】
実施形態Ｌ４
実施形態Ｌ２の方法であって、さらに、
ＷＤが、クライアントアプリケーションを実行することと、
ＷＤが、クライアントアプリケーションへの入力データを受信することと、を含み、
入力データは、クライアントアプリケーショに関連付けられたホストアプリケーションを実行することによりホストコンピュータに提供され、
送信されるユーザデータは、入力データに応答してクライアントアプリケーションにより提供される。
【０１８８】
実施形態Ｍ１
無線デバイス（ＷＤ）と通信する様に構成されたネットワークノードであって、
ネットワークノードは、無線インタフェース及び処理回路を備え、
処理回路は、
チャネル状態情報参照信号（ＣＳＩ−ＲＳ）フィードバックのためのＭ個の所望のポートを示すシグナリングをＷＤから受信し、
受信したシグナリングに基づきポートインデクス表示を生成する様に構成される。
【０１８９】
実施形態Ｍ２
実施形態Ｍ１のネットワークノードであって、
Ｍ個の所望のポートの表示は、ビットマップによる。
【０１９０】
実施形態Ｍ３
実施形態Ｍ１のネットワークノードであって、
Ｍ個の所望のポートの表示は、テーブルによる。
【０１９１】
実施形態Ｍ４
実施形態Ｍ１のネットワークノードであって、
Ｍ個の所望のポートの表示は、ＣＳＩフィードバックのＣＳＩ−ＲＳリソースインジケータにより搬送される。
【０１９２】
実施形態Ｎ１
無線デバイス（ＷＤ）からネットワークノードへの送信から生じるユーザデータを受信する様に構成された通信インタフェースを備えるホストコンピュータを含む通信システムであって、
ネットワークノードは、無線インタフェースと処理回路とを有し、
処理回路は、
チャネル状態情報参照信号（ＣＳＩ−ＲＳ）フィードバックのためのＭ個の所望のポートを示すシグナリングをＷＤから受信し、
受信したシグナリングに基づきポートインデクス表示を生成する様に構成される。
【０１９３】
実施形態Ｎ２
実施形態Ｎ１の通信システムであって、
ネットワークノードを更に備えている。
【０１９４】
実施形態Ｎ３
実施形態Ｎ２の通信システムであって、
ＷＤをさらに備え、ＷＤは、ネットワークノードと通信する様に構成される。
【０１９５】
実施形態Ｎ４
実施形態Ｎ３の通信システムであって、
ホストコンピュータの処理回路は、ホストアプリケーションを実行する様に構成され、
ＷＤは、ホストアプリケーションに関連付けられたクライアントアプリケーションを実行する様に構成され、それによりホストコンピュータによって受信されるユーザデータを提供する。
【０１９６】
実施形態Ｏ１
ネットワークノードで実行される方法であって、
チャネル状態情報参照信号（ＣＳＩ−ＲＳ）フィードバックのためのＭ個の所望のポートを示すシグナリングを無線デバイス（ＷＤ）から受信することと、
受信したシグナリングに基づきポートインデクス表示を生成することと、を含む。
【０１９７】
実施形態Ｏ２
実施形態Ｏ１の方法であって、
Ｍ個の所望のポートの表示は、ビットマップによる。
【０１９８】
実施形態Ｏ３
実施形態Ｏ１の方法であって、
Ｍ個の所望のポートの表示は、テーブルによる。
【０１９９】
実施形態Ｏ４
実施形態Ｏ１の方法であって、
Ｍ個の所望のポートの表示は、ＣＳＩフィードバックのＣＳＩ−ＲＳリソースインジケータにより搬送される。
【０２００】
実施形態Ｐ１
ホストコンピュータ、ネットワークノード及び無線デバイス（ＷＤ）を含む通信システムで実行される方法であって、
ホストコンピュータが、ネットワークノードがＷＤから受信する送信により生じたユーザデータを、ネットワークノードから受信することを含み、
ネットワークノードは、
チャネル状態情報参照信号（ＣＳＩ−ＲＳ）フィードバックのためのＭ個の所望のポートを示すシグナリングを無線デバイス（ＷＤ）から受信し、
受信したシグナリングに基づきポートインデクス表示を生成する。
【０２０１】
実施形態Ｐ２
実施形態Ｐ１の方法であって、
ネットワークノードが、ＷＤからのユーザデータを受信することをさらに含む。
【０２０２】
実施形態Ｐ３
実施形態Ｐ２の方法であって、
ネットワークノードが受信したユーザデータのホストコンピュータへの送信を開始することをさらに含む。
【０２０３】
実施形態Ｑ１
ネットワークノードであって、
ポートインデクス表示を格納する様に構成されたメモリモジュールと、
ポートインデクス表示を生成する様に構成されたポートインデクス表示生成モジュールと、
以下の１つを介して無線デバイスにポートインデクス表示をシグナリングする様に構成された無線インタフェースモジュールと、を備えている。
各ビットがチャネル状態情報参照信号（ＣＳＩ−ＲＳ）リソースの１つのポートに関連付けられ、ポートに関連付けられているビットの値に基づいてポートが選択されるビットマップ。
開始ポートインデクス及びポート数をシグナリングし、ＣＳＩ−ＲＳリソース内の隣接ポートのみが選択されること。
同じコード分割多重（ＣＤＭ）グループにある様にポートインデクスを制限すること。
【０２０４】
実施形態Ｑ２
無線デバイスであって、
ポートインデクス表示を格納する様に構成されたメモリモジュールと、
ネットワークノードから、ポートインデクス表示を受信する様に構成された無線インタフェースモジュールと、
ポートインデクス表示によって示されるポートに基づいてＣＳＩ−ＲＳフィードバックを生成する様に構成されたＣＳＩ−ＲＳフィードバック生成モジュールと、
を備え、ポートインデクス表示は以下の１つである。
各ビットがチャネル状態情報参照信号（ＣＳＩ−ＲＳ）リソースの１つのポートに関連付けられ、ポートに関連付けられているビットの値に基づいてポートが選択されるビットマップ。
開始ポートインデクス及びポート数をシグナリングし、ＣＳＩ−ＲＳリソース内の隣接ポートのみが選択されること。
同じコード分割多重（ＣＤＭ）グループにある様にポートインデクスを制限すること。
【０２０５】
当業者には理解される様に、本明細書に記載の概念は、方法、データ処理システム、及び／又は、コンピュータプログラム製品として具現化することができる。したがって、本明細書で説明される概念は、完全にハードウェアの実施形態、完全にソフトウェアの実施形態、又は、本明細書で一般に"回路"又は"モジュール"として参照しているソフトウェア及びハードウェアの態様を組み合わせた実施形態の形を取り得る。さらに、本開示は、コンピュータによって実行され得る、媒体内に具現化されたコンピュータプログラムコードを有する有形のコンピュータ使用可能記憶媒体上のコンピュータプログラム製品の形をとることができる。ハードディスク、ＣＤ−ＲＯＭ、電子記憶デバイス、光記憶デバイス、又は、磁気記憶デバイスを含む任意の適切な有形のコンピュータ可読記憶媒体を利用することができる。
【０２０６】
幾つかの実施形態は、方法、システム及びコンピュータプログラム製品のフローチャート図及び／又はブロック図を参照して本明細書で説明される。フローチャート図及び／又はブロック図の各ブロック、ならびにフローチャート図及び／又はブロック図内のブロックの組み合わせは、コンピュータプログラム命令によって実施できることが理解されよう。これらのコンピュータプログラム命令は、汎用コンピュータ、専用コンピュータ、又は他のプログラム可能なデータ処理装置のプロセッサに提供されて、コンピュータ又は他のプログラム可能なデータ処理装置のプロセッサを介して命令を実行すし、フローチャート及び／又はブロック図のブロックで特定される機能／動作を実現する手段を作るマシンを生成することができる。
【０２０７】
これらのコンピュータプログラム命令は、また、コンピュータ可読メモリ又は可読媒体に格納され、コンピュータ又は他のプログラム可能なデータ処理装置に特定の方法で機能する様に指示することができ、コンピュータ可読メモリに格納された命令は、フローチャート及び／又はブロック図において特定された機能／動作を実施する命令手段を含む製造品を作り出す。
【０２０８】
また、コンピュータプログラム命令は、コンピュータ又は他のプログラム可能なデータ処理装置にロードされて、コンピュータ又は他のプログラム可能な装置上で実行される一連の動作ステップによって、コンピュータ上で実行される命令が実行され、コンピュータ又は他のプログラム可能な装置が実行する命令は、フローチャート及び／又はブロック図で特定された機能／動作を実施するためのステップを提供する。
【０２０９】
ブロックに示されている機能／動作は、動作説明図に示されている順序とは異なる順序で行われてもよいことを理解されたい。例えば、関連する機能／動作に応じて、連続して示されている２つのブロックが実際には実質的に同時に実行されてもよく、あるいはブロックが逆の順序で実行されてもよい。図の幾つかは、通信の主方向を示すために通信経路上に矢印を含むが、通信は、描かれた矢印と反対方向に起こり得ることを理解されたい。
【０２１０】
本明細書に記載の概念の動作を実行するためのコンピュータプログラムコードは、Ｊａｖａ（登録商標）又はＣ＋＋などのオブジェクト指向プログラミング言語で書くことができる。しかしながら、本開示の動作を実行するためのコンピュータプログラムコードは、"Ｃ"プログラミング言語などの従来の手続き型プログラミング言語で書かれてもよい。プログラムコードは、完全にユーザのコンピュータ上、部分的にユーザのコンピュータ上、単独のソフトウェアパッケージとして、部分的にユーザのコンピュータ上、そして部分的にリモートコンピュータ上で、又は全体的にリモートコンピュータ上で実行することができる。後者のシナリオでは、リモートコンピュータは、ローカルエリアネットワーク（ＬＡＮ）又はワイドエリアネットワーク（ＷＡＮ）を介してユーザのコンピュータに接続することができ、又は（例えば、インターネットサービスプロバイダの使用によるインターネットを介して）接続することができる。
【０２１１】
上記の説明及び図面に関連して、多くの異なる実施形態が本明細書に開示されている。これらの実施形態のあらゆる組み合わせ及び部分的な組み合わせを文字通りに説明及び例示することは、過度に反復的で分かりにくくなることが理解されよう。したがって、すべての実施形態は任意の方法及び／又は組み合わせで組み合わせることができ、図面を含む本明細書は、本明細書に記載の実施形態のすべての組み合わせ及びサブコンビネーションならびに方法及びプロセスの完全な書面による説明を構成すると解釈され、そしてそれらを作成し使用することの可能性があり、そのような組み合わせ又はサブコンビネーションに対する主張を裏付けるものとする。
【０２１２】
本明細書に記載の実施形態は、本明細書の上記に特に示され記載されたものに限定されないことが当業者によって理解されるであろう。さらに、そうでないことが上記で言及されていない限り、添付の図面のすべてが一定の縮尺ではないことに留意されたい。添付の特許請求の範囲から逸脱することなく、上記の教示に照らして様々な修正形態及び変形形態が可能である。
【図１】
2021502741.tif 000004
【図２】
2021502741.tif 000005
【図３】
2021502741.tif 000006
【図４】
2021502741.tif 000007
【図５】
2021502741.tif 000008
【図６】
2021502741.tif 000009
【図７】
2021502741.tif 000010
【図８】
2021502741.tif 000011
【図９】
2021502741.tif 000012
【図１０】
2021502741.tif 000013
【図１１】
2021502741.tif 000014
【図１２】
2021502741.tif 000015
【図１３】
2021502741.tif 000016
【図１４】
2021502741.tif 000017
【図１５】
2021502741.tif 000018
【図１６】
2021502741.tif 000019
【図１７】
2021502741.tif 000020
【図１８】
2021502741.tif 000021
【国際調査報告】
2021502741.tif 000022
2021502741.tif 000023
2021502741.tif 000024